(57)【要約】【課題】本発明の一実施例は、フラグメンテーションを使用する無線通信端末を提供することを目的とする。【解決手段】データを伝送する伝送者である無線通信端末が開示される。無線通信端末は、送受信部と、プロセッサと、を含む。前記プロセッサは、ＡＤＤＢＡ（ａｄｄ  ｂｌｏｃｋ  ＡＣＫ）設定手順において、受信者に伝送するデータに使用しようとするフラグメンテーションレベルに関する第１情報を前記送受信部を使用して受信者に伝送する。【選択図】図２２
2020195163.tif 000002
【特許請求の範囲】
【請求項１】
データを伝送する伝送者である無線通信端末において、
送受信部と、
プロセッサと、を含み、
前記プロセッサは、ＡＤＤＢＡ（ａｄｄ  ｂｌｏｃｋ  ＡＣＫ）設定手順において、受信者に伝送するデータに使用しようとするフラグメンテーションレベルに関する第１情報を前記送受信部を使用して受信者に伝送する
無線通信端末。
【請求項２】
前記第１情報は、特定のＴＩＤに当たるデータを前記受信者に伝送する際に使用しようとするフラグメンテーションレベルに関する
請求項１に記載の無線通信端末。
【請求項３】
前記プロセッサは、
前記送受信部を使用して前記受信者から第２情報を受信し、
前記第２情報に基づいて前記特定のＴＩＤに当たるデータのフラグメンテーションレベルを決定し、
前記第２情報は、前記受信者が前記特定のＴＩＤに当たるデータを受信する際、前記受信者が受信し得るフラグメントのフラグメンテーションレベルに関する情報である
請求項２に記載の無線通信端末。
【請求項４】
前記プロセッサは、前記第２情報が示すフラグメンテーションレベルと同じか低いフラグメンテーションレベルに前記特定のＴＩＤに当たるデータをフラグメンテーションする
請求項３に記載の無線通信端末。
【請求項５】
前記プロセッサは、
第１情報をＡＤＤＢＡ要請フレームに挿入し、
前記受信者に前記ＡＤＤＢＡ要請フレームを伝送する
請求項１に記載の無線通信端末。
【請求項６】
データを受信する受信者である無線通信端末において、
送受信部と、
プロセッサと、を含み、
前記プロセッサは、前記送受信部を使用してデータを伝送しようとする伝送者から第１情報を受信し、
前記第１情報は、前記伝送者が前記無線通信端末に伝送するデータに使用しようとするフラグメンテーションレベルに関する情報である
無線通信端末。
【請求項７】
前記第１情報は、前記伝送者が前記無線通信端末に特定のＴＩＤに当たるデータを伝送する際に使用しようとするフラグメンテーションレベルに関する情報である
請求項６に記載の無線通信端末。
【請求項８】
前記プロセッサは、前記送受信部を使用して前記伝送者に第２情報を伝送し、
前記第２情報は、前記無線通信端末が前記特定のＴＩＤに当たるデータを受信する際、前記無線通信端末が受信し得るフラグメントのフラグメンテーションレベルに関する情報である
請求項７に記載の無線通信端末。
【請求項９】
前記プロセッサは、前記伝送者からＡＤＤＢＡ要請フレームを受信し、前記ＡＤＤＢＡ要請フレームから第１情報を獲得する
請求項６に記載の無線通信端末。
【請求項１０】
前記プロセッサは、
ＡＤＤＢＡ応答フレームに第２情報を挿入し、
前記伝送者に前記ＡＤＤＢＡ応答フレームを伝送し、
前記第２情報は、前記無線通信端末が受信し得るフラグメントのフラグメンテーションレベルに関する情報である
請求項９に記載の無線通信端末。
【請求項１１】
前記プロセッサは、
前記送受信部を使用して前記伝送者からデータを受信し、
前記第１情報に基づいてＢｌｏｃｋ  ＡＣＫフレームの形式を選択し、
前記Ｂｌｏｃｋ  ＡＣＫフレームの形式に応じて、前記伝送者から受信したデータに対するＢｌｏｃｋ  ＡＣＫフレームを伝送する
請求項６に記載の無線通信端末。
【請求項１２】
前記プロセッサは、前記第１情報に基づいてＢｌｏｃｋ  ＡＣＫフレームの形式を選択する
請求項１０に記載の無線通信端末。
【発明の詳細な説明】
【技術分野】
【０００１】
本発明は、フラグメンテーションを利用する無線通信方法及び無線通信端末に関する。
【背景技術】
【０００２】
最近、モバイル機器の普及が拡大されるにつれ、これらに速い無線インターネットサービスを提供する無線ＬＡＮ（Ｗｉｒｅｌｅｓｓ  ＬＡＮ）技術が脚光を浴びている。無線ＬＡＮ技術は、近距離で無線通信技術に基づいてスマートフォン、スマートパッド、ラップトップコンピュータ、携帯型マルチメディアプレーヤー、組み込み（ｅｍｂｅｄｅｄ）機器などのようなモバイル機器を家庭や企業、または特定サービス提供地域で無線でインターネットに接続するようにする技術である。
【０００３】
ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）  ８０２．１１は、２．４ＧＨｚの周波数を利用した初期の無線ＬＡＮ技術を支援した以来、多様な技術の標準を実用化または開発中である。まず、ＩＥＥＥ  ８０２．１１ｂは、２．４ＧＨｚバンドの周波数を使用しながら最高１１Ｍｂｐｓの通信速度を支援する。ＩＥＥＥ  ８０２．１１ｂの後に商用化されたＩＥＥＥ８０２．１１ａは、２．４ＧＨｚバンドではなく５ＧＨｚバンドの周波数を使用することで、相当混雑な２．４ＧＨｚバンドの周波数に比べ干渉に対する影響を減らしており、ＯＦＤＭ技術を使用して通信速度を最大５４Ｍｂｐｓまで向上させた。しかし、ＩＥＥＥ  ８０２．１１ａはＩＥＥＥ  ８０２．１１ｂに比べ通信距離が短い短所がある。そして、ＩＥＥＥ  ８０２．１１ｇはＩＥＥＥ  ８０２．１１ｂと同じく２．４ＧＨｚバンドの周波数を利用して最大５４Ｍｐｂｓの通信速度を具現し、下位互換性（ｂａｃｋｗａｒｄ  ｃｏｍｐａｔｉｂｉｌｉｔｙ）を満足しているため相当な注目を浴びたが、通信距離においてもＩＥＥＥ  ８０２．１１ａより優位にある。
【０００４】
そして、無線ＬＡＮで脆弱点として指摘されてきた通信速度に対する限界を克服するために制定された技術規格として、ＩＥＥＥ  ８０２．１１ｎがある。ＩＥＥＥ  ８０２．１１ｎはネットワークの速度と信頼性を増加し、無線ネットワークの運営距離を拡張するのにその目的がある。より詳しくは、ＩＥＥＥ  ８０２．１１ｎではデータの処理速度が最大５４０Ｍｐｂｓ以上の高処理率（Ｈｉｇｈ  Ｔｈｒｏｕｇｈｐｕｔ、ＨＴ）を支援し、また、伝送エラーを最小化しデータ速度を最適化するために送信部と受信部の両端共に多重アンテナを使用するＭＩＭＯ（Ｍｕｌｔｉｐｌｅ  Ｉｎｐｕｔｓ  ａｎｄ  Ｍｕｌｔｉｐｌｅ  Ｏｕｔｐｕｔｓ）技術に基盤している。また、この規格はデータの信頼性を上げるために重複する写本を多数個伝送するコーディング方式を使用する。
【０００５】
無線ＬＡＮの普及が活性化され、またこれを利用したアプリケーションが多様化されるにつれ、ＩＥＥＥ  ８０２．１１ｎを支援するデータ処理速度より高い処理率（Ｖｅｒｙ  Ｈｉｇｈ  Ｔｈｒｏｕｇｈｐｕｔ、ＶＨＴ）を支援するための新たな無線ＬＡＮシステムに対する必要請が台頭された。このうち、ＩＥＥＥ  ８０２．１１ａｃは５ＧＨｚ周波数で広い帯域幅（８０ＭＨｚ〜１６０ＭＨｚ）を支援する。ＩＥＥＥ  ８０２．１１ａｃ標準は５ＧＨｚ帯域でのみ定義されていたが、従来の２．４ＧＨｚ帯域の製品との下位互換性のために、初期１１ａｃチップセットは２．４ＧＨｚ帯域での動作も支援する。理論的に、この規格によると、多重ステーションの無線ＬＡＮの速度は最小１Ｇｂｐｓ、最大単一リンクの速度は最小５００Ｍｂｐｓまで可能になる。これは、より広い無線周波数帯域幅（最大１６０ＭＨｚ）、より多いＭＩＭＯの空間的ストリーム（最大８個）、多重ユーザＭＩＭＯ、そして高い密度の変調（最大２５６ＱＡＭ）など、８０１．１１ｎで受け入れた無線インタフェース概念を拡張して行われる。また、従来の２．４ＧＨｚ／５ＧＨｚの代わりに６０ＧＨｚバンドを使用してデータを伝送する方式として、ＩＥＥＥ  ８０２．１１ａｄがある。ＩＥＥＥ  ８０２．１１ａｄはビームフォーミング技術を利用して最大７Ｇｂｐｓの速度を提供する伝送規格であって、大容量のデータや無圧縮ＨＤビデオなど高いビットレート動画のストリーミングに適合している。しかし、６０ＧＨｚの周波数バンドは障害物の通過が難しく、近距離空間におけるディバイス間でのみ使用可能な短所がある。
【０００６】
一方、最近では８０１．１１ａｃ及び８０２．１１ａｄ以降の次世代無線ＬＡＮの標準として、高密度環境での高効率及び高性能無線ＬＡＮの通信技術を提供するための論議が行われつつある。つまり、次世代無線ＬＡＮ環境では高密度のステーションとＡＰ（Ａｃｃｅｓｓ  Ｐｏｉｎｔ）の存在下で室内外で高い周波数効率の通信が提供されるべきであり、これを具現するために多様な技術が必要である。
【０００７】
特に、無線ＬＡＮを利用する装置の数が増えるにつれ、決められているチャネルを効率的に使用する必要がある。よって、複数のステーションとＡＰ間のデータ伝送を同時に行うようにして、帯域幅を効率的に使用する技術が求められている。
【発明の概要】
【発明が解決しようとする課題】
【０００８】
本発明の一実施例は、フラグメンテーションを使用する無線通信端末を提供することを目的とする。
【課題を解決するための手段】
【０００９】
本発明の一実施例によって、データを伝送する伝送者である無線通信端末は、送受信部と、プロセッサと、を含む。前記プロセッサは、ＡＤＤＢＡ（ａｄｄ  ｂｌｏｃｋ  ＡＣＫ）設定手順において、受信者に伝送するデータに使用しようとするフラグメンテーションレベルに関する第１情報を前記送受信部を使用して受信者に伝送する。
【００１０】
前記第１情報は、特定のＴＩＤに当たるデータを前記受信者に伝送する際に使用しようとするフラグメンテーションレベルに関する。
【００１１】
前記プロセッサは、前記送受信部を使用して前記受信者から第２情報を受信し、前記第２情報に基づいて前記特定のＴＩＤに当たるデータのフラグメンテーションレベルを決定し、前記第２情報は前記受信者が前記特定のＴＩＤに当たるデータを受信する際、前記受信者が受信し得るフラグメントのフラグメンテーションレベルに関する情報である。
【００１２】
前記プロセッサは、前記第２情報が示すフラグメンテーションレベルと同じか低いフラグメンテーションレベルに前記特定のＴＩＤに当たるデータをフラグメンテーションする。
【００１３】
前記プロセッサは、第１情報をＡＤＤＢＡ要請フレームに挿入し、前記受信者に前記ＡＤＤＢＡ要請フレームを伝送する。
【００１４】
本発明の一実施例によって、データを受信する受信者である無線通信端末は、送受信部と、プロセッサと、を含む。前記プロセッサは、前記送受信部を使用してデータを伝送しようとする伝送者から第１情報を受信し、前記第１情報は前記伝送者が前記無線通信端末に伝送するデータに使用しようとするフラグメンテーションレベルに関する情報である。
【００１５】
前記第１情報は、前記伝送者が前記無線通信端末に特定のＴＩＤに当たるデータを伝送する際に使用しようとするフラグメンテーションレベルに関する情報である。
【００１６】
前記プロセッサは、前記送受信部を使用して前記伝送者に第２情報を伝送し、前記第２情報は、前記無線通信端末が前記特定のＴＩＤに当たるデータを受信する際、前記無線通信端末が受信し得るフラグメントのフラグメンテーションレベルに関する情報である。
【００１７】
前記プロセッサは、前記伝送者からＡＤＤＢＡ要請フレームを受信し、前記ＡＤＤＢＡ要請フレームから第１情報を獲得する。
【００１８】
前記プロセッサは、ＡＤＤＢＡ応答フレームに第２情報を挿入し、前記伝送者に前記ＡＤＤＢＡ応答フレームを伝送する。前記第２情報は、前記無線通信端末が受信し得るフラグメントのフラグメンテーションレベルに関する情報である。
【００１９】
前記プロセッサは、前記送受信部を使用して前記伝送者からデータを受信し、前記第１情報に基づいてＢｌｏｃｋ  ＡＣＫフレームの形式を選択し、前記Ｂｌｏｃｋ  ＡＣＫフレームの形式に応じて、前記伝送者から受信したデータに対するＢｌｏｃｋ  ＡＣＫフレームを伝送する。
【００２０】
前記プロセッサは、前記第１情報に基づいてＢｌｏｃｋ  ＡＣＫフレームの形式を選択する。
【００２１】
前記データはＡ−ＭＰＤＵを介して伝送され、前記Ａ−ＭＰＤＵ（Ａｇｇｒｅｇａｔｅ−ＭＡＣ  Ｐｒｏｔｏｃｏｌ  Ｄａｔａ  Ｕｎｉｔ）は少なくとも一つのフラグメントを含み、前記プロセッサは、前記少なくとも一つのフラグメントのフラグメントナンバーが全て０であれば、それぞれのビットがそれぞれのＭＳＤＵ（ＭＡＣ  Ｓｅｒｖｉｃｅ  Ｄａｔａ  Ｕｎｉｔ）の受信可否を示すビットマップを含むＢｌｏｃｋ  ＡＣＫフレームを伝送する。
【００２２】
前記データはＡ−ＭＰＤＵを介して伝送され、前記プロセッサは前記Ａ−ＭＰＤＵが含む全てのＭＰＤＵを受信すれば、それぞれのビットがそれぞれのＭＳＤＵの受信可否を示すビットマップを含むＢｌｏｃｋ  ＡＣＫフレームを伝送する。
【００２３】
本発明の実施例によってデータを伝送する伝送者である無線通信端末の動作方法は、受信者に伝送するデータに使用しようとするフラグメンテーションレベルに関する第１情報をＡＤＤＢＡ要請フレームに挿入するステップと、前記受信者に前記ＡＤＤＢＡ要請フレームを伝送するステップと、を含む。
【００２４】
前記第１情報は、特定のＴＩＤに当たるデータを前記受信者に伝送する際に使用しようとするフラグメンテーションレベルに関する。
【００２５】
前記動作方法は、前記送受信部を使用して前記受信者からＡＤＤＢＡ応答フレームを受信し、前記ＡＤＤＢＡ応答フレームから第２情報を獲得するステップと、前記第２情報に基づいて前記特定のＴＩＤに当たるデータのフラグメンテーションレベルを決定するステップを更に含む。前記第２情報は、前記受信者が前記特定のＴＩＤに当たるデータを受信する際、前記受信者が受信し得るフラグメントのフラグメンテーションレベルに関する情報である。
【００２６】
前記特定のＴＩＤに当たるデータのフラグメンテーションレベルを決定するステップは、前記特定のＴＩＤに当たるデータのフラグメンテーションレベルを前記第２情報が示すフラグメンテーションレベルと同じであるか低いフラグメンテーションレベルに決定するステップを含む。
【００２７】
前記ＡＤＤＢＡ要請フレームのＢｕｆｆｅｒ  Ｓｉｚｅフィールド値の大きさは前記第１情報を黙示的に示し、前記Ｂｕｆｆｅｒ  Ｓｉｚｅフィールドは前記データ伝送に必要なバッファの大きさに関する情報を示す。
【発明の効果】
【００２８】
本発明の一実施例は、フラグメンテーションを使用する通信方法及びそれを利用する無線通信端末を提供する。
【図面の簡単な説明】
【００２９】
【図１】本発明の一実施例による無線ＬＡＮシステムを示す図である。
【図２】本発明の他の実施例による無線ＬＡＮシステムを示す図である。
【図３】本発明の一実施例によるステーションの構成を示すブロック図である。
【図４】本発明の一実施例によるアクセスポイントの構成を示すブロック図である。
【図５】本発明の一実施例によるステーションがアクセスポイントとリンクを設定する過程を概略的に示す図である。
【図６】本発明の実施例によるＡＤＤＢＡを利用するフラグメンテーションレベルに関する情報伝送方法を示す図である。
【図７】本発明の他の実施例によってフラグメンテーションレベルに関する情報をシグナリングするＡＤＤＢＡ要請フレーム及びＡＤＤＢＡ応答フレームのフォーマットを示す図である。
【図８】本発明のまた他の実施例によってフラグメンテーションレベルに関する情報をシグナリングするＭＡＣフレームフォーマットを示す図である。
【図９】本発明の更に他の実施例によってフラグメンテーションレベルに関する情報をシグナリングするＡＤＤＢＡ応答フレーム及びＡＤＤＢＡ要請フレームのフォーマットを示す図である。
【図１０】本発明の更に他の実施例によってフラグメンテーションレベルに関する情報をシグナリングするＡＤＤＢＡ応答フレーム及びＡＤＤＢＡ要請フレームのフォーマットを示す図である。
【図１１】本発明の更に他の実施例によってフラグメンテーションレベルに関する情報をシグナリングするトリガフレームフォーマットを示す図である。
【図１２】本発明の更に他の実施例によってフラグメンテーションレベルに関する情報をシグナリングするトリガフレームフォーマットを示す図である。
【図１３】本発明の実施例によって無線通信端末のプロセッシング能力を示す情報をシグナリングするＣａｐａｂｉｌｉｔｉｅｓエレメントの形式を示す図である。
【図１４】本発明の実施例によるＢｌｏｃｋ  ＡＣＫフレームの形式を示す図である。
【図１５】フラグメンテーションレベル：レベル３を支援する無線通信端末が本発明の実施例によってＢｌｏｃｋ  ＡＣＫフレームを伝送する方法を示す図である。
【図１６】フラグメンテーションレベル：レベル３を支援する無線通信端末が本発明の他の実施例によってＢｌｏｃｋ  ＡＣＫフレームを伝送する方法を示す図である。
【図１７】フラグメンテーションレベル：レベル３を支援する無線通信端末が本発明のまた他の実施例によってＢｌｏｃｋ  ＡＣＫフレームを伝送する方法を示す図である。
【図１８】フラグメンテーションレベル：レベル３を支援する無線通信端末が本発明の更に他の実施例によってＡｌｌ  ＡＣＫを示すＢｌｏｃｋ  ＡＣＫフレームを伝送する方法を示す図である。
【図１９】フラグメンテーションレベル：レベル３を支援する無線通信端末が本発明の更に他の実施例によってＡｌｌ  ＡＣＫを示すＢｌｏｃｋ  ＡＣＫフレームを伝送する方法を示す図である。
【図２０】フラグメンテーションレベル：レベル３を支援する無線通信端末が本発明の更に他の実施例によってＡｌｌ  ＡＣＫを示すＢｌｏｃｋ  ＡＣＫフレームを伝送する方法を示す図である。
【図２１】フラグメンテーションレベル：レベル３を支援する無線通信端末が本発明の更に他の実施例によってフラグメントの受信可否を示すＢｌｏｃｋ  ＡＣＫ  Ｂｉｔｍａｐフィールドを含むＢｌｏｃｋ  ＡＣＫフレームを伝送する動作を示す図である。
【図２２】本発明の実施例による無線通信端末の動作を示す図である。
【発明を実施するための形態】
【００３０】
以下、添付した図面を参照し本発明の実施例について本発明が属する技術分野における通常の知識を有する者が容易に実施し得るように詳細に説明する。しかし、本発明は様々な異なる形態に具現されることができ、ここで説明する実施例に限らない。そして、図面において、本発明を明確にするために説明とは関係のない部分は省略しており、明細書全体にわたって類似した部分に対しては類似した図面符号をつけている。
【００３１】
また、ある部分がある構成要素を「含む」という際、これは特に反対する記載がない限り、他の構成要素を除くのではなく、他の構成要素を更に含むことを意味する。
【００３２】
本出願は、韓国特許出願第１０−２０１６−０１４１３０２号（２０１６．０４．０４）、第１０−２０１６−００５９１８１号（２０１６．０５．１４）、及び第１０−２０１６−００６２４２号（２０１６．０５．２０）に基づいた優先権を主張し、優先権の基礎となる前記各出願に述べられた実施例及び記載事項は、本出願の詳細な説明に含まれるものとする。
【００３３】
図１は、本発明の一実施例による無線ＬＡＮシステムを示す図である。無線ＬＡＮシステムは一つまたはそれ以上のベーシックサービスセット（Ｂａｓｉｃ  Ｓｅｒｖｉｃｅ  Ｓｅｔ、ＢＳＳ）を含むが、ＢＳＳとは無事に同期化を果たして互いに通信し得る機器の集合を示す。一般に、ＢＳＳはインフラストラクチャＢＳＳ（ｉｎｆｒａｓｔｒｕｃｔｕｒｅ  ＢＳＳ）と独立ＢＳＳ（Ｉｎｄｅｐｅｎｄｅｎｔ  ＢＳＳ、ＩＢＳＳ）に区分されるが、図１はこのうちインフラストラクチャＢＳＳを示している。
【００３４】
図１に示したように、インフラストラクチャＢＳＳＢＳＳ１、ＢＳＳ２は、一つまたはそれ以上のステーションＳＴＡ１、ＳＴＡ２、ＳＴＡ３、ＳＴＡ４、ＳＴＡ５、分配サービス（Ｄｉｓｔｒｉｂｕｔｉｏｎ  Ｓｅｒｖｉｃｅ）を提供するステーションであるアクセスポイントＰＣＰ／ＡＰ−１、ＰＣＰ／ＡＰ−２、及び多数のアクセスポイントＰＣＰ／ＡＰ−１、ＰＣＰ／ＡＰ−２を連結する分配システム（Ｄｉｓｔｒｉｂｕｔｉｏｎ  Ｓｙｓｔｅｍ，  ＳＤ）を含む。
【００３５】
ステーション（ｓｔａｔｉｏｎ、ＳＴＡ）はＩＥＥＥ  ８０２．１１標準の基底に従う媒体接続制御（Ｍｅｄｉｕｍ  Ａｃｃｅｓｓ  Ｃｏｎｔｒｏｌ、  ＭＡＣ）と無線媒体に対する物理層（Ｐｈｙｓｉｃａｌ  Ｌａｙｅｒ）インタフェースを含む任意のディバイスであって、広い意味では非アクセスポイント（ｎｏｎ−ＡＰ）だけでなくアクセスポイント（ＡＰ）も含む。また、本明細書において、「端末」はｎｏｎ−ＡＰ  ＳＴＡまたはＡＰを指すか、両者を全て指す用語として使用される。無線通信のためのステーションはプロセッサ（Ｐｒｏｃｅｓｓｏｒ）と送受信部（ｔｒａｎｓｍｉｔ／ｒｅｃｅｉｖｅ  ｕｎｉｔ）を含み、実施例によってユーザインタフェース部とディスプレーユニットなどを更に含む。プロセッサは無線ネットワークによって伝送するフレームを生成するか、または前記無線ネットワークによって受信されたフレームを処理し、その他にもステーションを制御するための多様な処理をする。そして、送受信部は前記プロセッサと機能的に連結されており、ステーションのために無線ネットワークを介してフレームを送受信する。
【００３６】
アクセスポイント（Ａｃｃｅｓｓ  Ｐｏｉｎｔ、ＡＰ）は自らに結合されたステーションのために無線媒体を経由して分配システムＤＳに対する接続を提供する個体である。インフラストラクチャＢＳＳにおいて、非ＡＰステーション間の通信はＡＰを経由して行われることが原則であるが、ダイレクトリンクが設定された場合には非ＡＰステーション間での直接通信が可能になる。一方、本発明において、ＡＰはＰＣＰ（Ｐｅｒｓｏｎａｌ  ＢＳＳ  Ｃｏｏｒｄｉｎａｔｉｏｎ  Ｐｏｉｎｔ）を含むがねとして使用され、広い意味では集中制御器、基地局（Ｂａｓｅ  Ｓｔａｔｉｏｎ、ＧＳ）、ノードＢ、ＢＴＳ（Ｂａｓｅ  Ｔｒａｎｓｃｅｉｖｅｒ  Ｓｙｓｔｅｍ）、またはサイト制御器などの概念を全て含む。
【００３７】
複数のインフラストラクチャＢＳＳは分配システムを介して相互連結される。この際、分配システムを介して連結された複数のＢＳＳを拡張サービスセット（Ｅｘｔｅｎｄｅｄ  Ｓｅｒｖｉｃｅ  Ｓｅｔ、ＥＳＳ）とする。
【００３８】
図２は、本発明の他の実施例による無線ＬＡＮシステムである独立ＢＳＳを示す図である。図２の実施例において、図１の実施例と同じであるか相応する部分は重複する説明は省略する。
【００３９】
図２に示したＢＳＳ３は独立ＢＳＳであってＡＰを含まないため、全てのステーションＳＴＡ６、ＳＴＡ７がＡＰと接続されない状態である。独立ＢＳＳは分配システムとして接続が許容されず、自己完備的ネットワーク（ｓｅｌｆ−ｃｏｎｔａｉｎｅｄ  ｎｅｔｗｏｒｋ）を成す。独立ＢＳＳにおいて、それぞれのステーションＳＴＡ６、ＳＴＡ７はダイレクトで互いに連結される。
【００４０】
図３は、本発明の一実施例によるステーション１００の構成を示すブロック図である。
図示したように、本発明の実施例によるステーション１００は、プロセッサ１１０、送受信部１２０、ユーザインタフェース１４０、ディスプレーユニット１５０、及びメモリ１６０を含む。
【００４１】
まず、送受信部１２０は無線ＬＡＮパケットなどの無線信号を送受信し、ステーション１００に内装されているか外装として備われる。実施例によると、送受信部１２０は互いに異なる周波数バンドを利用する少なくとも一つの送受信モジュールを含む。例えば、前記送受信部１２０は２．４ＧＨｚ、５ＧＨｚ及び５０ＧＨｚなどの互いに異なる周波数バンドの送受信モジュールを含む。一実施例によると、ステーション１００は６ＧＨｚ以上の周波数バンドを利用する送受信モジュールと、６ＧＨｚ以下の周波数バンドを利用する送受信モジュールを備える。それぞれの送受信モジュールは該当送受信モジュールが支援する周波数バンドの無線ＬＡＮ規格によってＡＰまたは外部ステーションと無線通信を行う。送受信部１２０はステーション１００の性能及び要求事項によって一度に一つの送受信モジュールのみを動作させるか、同時に多数の送受信モジュールを共に動作させる。ステーション１００が複数の送受信モジュールを備える場合、各相受信モジュールはそれぞれ独立した形態に備えられてもよく、複数のモジュールが一つのチップに統合されて備えられてもよい。
【００４２】
次に、ユーザインタフェース部１４０はステーション１００に備えられて多様な形態の入出力手段を含む。つまり、ユーザインタフェース部１４０は多様な入力手段を利用してユーザの入力を受信し、プロセッサ１１０は受信されたユーザ入力に基づいてステーション１００を制御する。また、ユーザインタフェース部１４０は多様な出力手段を利用してプロセッサ１１０の命令に基づいて出力を行う。
【００４３】
次に、ディスプレーユニット１５０はディスプレー画面にイメージを出力する。前記ディスプレーユニット１５０はプロセッサ１１０によって行われるコンテンツまたはプロセッサ１１０の制御命令に基づいたユーザインタフェースなどの多様なディスプレーオブジェクトを出力する。また、メモリ１４０はステーション１１０で使用される制御プログラム及びそれによる各種データを貯蔵する。このような制御プログラムにはステーション１００がＡＰまたは外部ステーションと接続を行うが、必要な接続プログラムが含まれる。
【００４４】
本発明のプロセッサ１１０は多様な命令またはプログラムを行い、ステーション１００内部のデータをプロセスする。また、前記プロセッサ１１０は上述したステーション１００の各ユニットを制御し、ユニット間のデータ送受信を制御する。本発明の実施例によると、プロセッサ１１０は、メモリ１６０に貯蔵されたＡＰとの接続のためのプログラムを実行し、ＡＰが伝送した通信設定メッセージを受信する。また、プロセッサ１１０は通信設定メッセージに含まれたステーション１００の優先条件に関する情報を判読し、ステーション１００の優先条件に関する情報に基づいてＡＰに対する接続を要請する。本発明のプロセッサ１１０はステーション１００のメインコントロールユニットを指してもよく、実施例によってはステーション１００の一部構成、例えば、送受信部１２０などを個別的に制御するためのコントロールユニットを指してもよい。つまり、プロセッサ１１０は送受信部１２０から送受信される無線信号をモジュレーションするモジュレーション部またはデモジュレーション部（ＭＰＤＵｌａｔｏｒ  ａｎｄ／ｏｒ  ｄｅＭＰＤＵｌａｔｏｒ）である。プロセッサ１１０は本発明の実施例によるステーション１００の無線信号送受信の各種動作を制御する。これに対する具体的な実施例は後述する。
【００４５】
図３に示したステーション１００は本発明の一実施例によるブロック図であって、分離して示したブロックはディバイスのエレメントを論理的に区別して示したものである。よって、上述したディバイスのエレメントは、ディバイスの設計によって一つのチップまたは複数のチップで装着される。例えば、前記プロセッサ１１０及び送受信部１２０は一つのチップに統合されて具現されてもよく、別途のチップで具現されてもよい。また、本発明の実施例において、前記ステーション１００の一部構成、例えばユーザインタフェース部１４０及びディスプレーユニット１５０などはステーション１００に選択的に備えられる。
【００４６】
図４は、本発明の一実施例によるＡＰ２００の構成を示すブロック図である。
【００４７】
図示したように、本発明の一実施例によるＡＰ２００はプロセッサ２１０、送受信部２２０及びメモリ２６０を含む。図４において、ＡＰ２００の構成のうち図３のステーション１００の構成と同じであるか相応する部分に対しては重複した説明は省略する。
【００４８】
図４を参照すると、本発明によるＡＰ２００は少なくとも一つの周波数バンドでＢＳＳを運営するための送受信部２２０を備える。図３の実施例で説明したように、前記ＡＰ２００の送受信部２２０も互いに異なる周波数バンドを利用する複数の送受信モジュールを含む。つまり、本発明の実施例によるＡＰ２００は互いに異なる周波数バンド、例えば２．４ＧＨｚ、５ＧＨｚ、６０ＧＨｚのうち２つ以上の送受信モジュールを共に備える。好ましくは、ＡＰ２００は６ＧＨｚ以上の周波数バンドを利用する送受信モジュールと、６ＧＨｚ以下の周波数バンドを利用する送受信モジュールを備える。それぞれの送受信モジュールは該当送受信モジュールが支援する周波数バンドの無線ＬＡＮ規格に従ってステーションと無線通信を行う。前記送受信部２２０はＡＰ２００の性能及び要求事項に応じて一度に一つの送受信モジュールのみを動作させるか、同時に多数の送受信モジュールを共に動作させてもよい。
【００４９】
次に、メモリ２６０はＡＰ２００で使用される制御プログラム及びそれによる各種データを貯蔵する。このような制御プログラムにはステーションの接続を管理する管理プログラムが含まれる。また、プロセッサ２１０はＡＰ２００の各ユニットを制御し、ユニット間のデータ送受信を制御する。本発明の実施例によると、プロセッサ２１０はメモリ２６０に貯蔵されたステーションとの接続のためのプログラムを実行し、一つ以上のステーションに対する通信設定メッセージを伝送する。この際、通信設定メッセージには各ステーションの接続優先条件に関する情報が含まれる。また、プロセッサ２１０はステーションの接続要請に応じて接続設定を行う。一実施例によると、プロセッサ２１０は送受信部２２０から送受信される無線信号をモジュレーションするモジュレーション部またはデモジュレーション部である。プロセッサ２１０は本発明の実施例によるＡＰ２００の無線信号送受信の各種動作を制御する。これに対する具体的な実施例は後述する。
【００５０】
図５は、ＳＴＡがＡＰとリンクを設定する過程を概略的に示している。
【００５１】
図５を参照すると、ＳＴＡ１００とＡＰ２００間のリンクは大きくスキャニング（ｓｃａｎｎｉｎｇ)、認証（ａｕｔｈｅｎｔｉｃａｔｉｏｎ)、及び結合（ａｓｓｏｃｉａｔｉｏｎ)の３つのステップを介して設定される。まず、スキャニングステップは、ＡＰ２００が運営するＢＳＳのアクセス情報をＳＴＡ１００が獲得するステップである。スキャニングを行うための方法としては、ＡＰ２００が周期的に伝送するビーコン（ｂｅａｃｏｎ)メッセージＳ１０１のみを活用して情報を獲得するパッシブスキャニング（ｐａｓｓｉｖｅ  ｓｃａｎｎｉｎｇ)方法と、ＳＴＡ１０がＡＰにプローブ要請（ｐｒｏｂｅ  ｒｅｑｕｅｓｔ)を伝送しＳ１０３、ＡＰからプローブ応答（ｐｒｏｂｅ  ｒｅｓｐｏｎｓｅ)を受信してＳ１０５、アクセス情報を獲得するアクティブスキャニング（ａｃｔｉｖｅ  ａｃａｎｎｉｎｇ)方法がある。
【００５２】
スキャニングステップにおいて無線アクセス情報の受信に成功したＳＴＡ１００は、認証要請（ａｕｔｈｅｎｔｉｃａｔｉｏｎ  ｒｅｑｕｅｓｔ)を伝送しＳ１０７ａ、ＡＰ２００から認証応答（ａｕｔｈｅｎｔｉｃａｔｉｏｎ  ｒｅｓｐｏｎｓｅ)を受信してＳ１０７ｂ、認証ステップを行う。認証ステップが行われた後、ＳＴＡ１００は結合要請（ａｓｓｏｃｉａｔｉｏｎ  ｒｅｑｕｅｓｔ)を伝送しＳ１０９ａ、ＡＰ２００から結合応答（ａｓｓｏｃｉｔａｔｉｏｎ  ｒｅｓｐｏｎｓｅ)を受信してＳ１０９ｂ、結合ステップを行う。本明細書において、結合とは基本的に無線結合を意味するが、本発明はこれに限らず、広い意味での結合は無線結合及び有線結合を全て含む。
【００５３】
一方、追加的に８０２．１Ｘ基盤の認証ステップＳ１１１、及びＤＨＣＰを介したＩＰアドレス獲得ステップＳ１１３が行われる。図５において、認証サーバ３００はＳＴＡ１００と８０２．１Ｘ基盤の認証を処理するサーバであって、ＡＰ２００に物理的に結合されて存在するか、別途のサーバとして存在してもよい。
【００５４】
モバイル装置の拡散と無線通信の普及により、無線通信端末が高密度環境（ｄｅｎｓｅ  ｅｎｖｉｒｏｎｍｅｎｔ)で通信する場合が多くなっている。特に、無線通信端末が多数のＢＳＳが重複する環境で通信する場合が増えている。多数のＢＳＳが重複する場合、他の無線通信端末との干渉のため無線通信端末の通信効率が落ちる恐れがある。特に、競争手順を介して周波数帯域を使用する場合、無線通信端末は他の無線通信端末との干渉のため、伝送機会すら確保できないことがある。このような問題を解決するために、無線通信端末は空間再利用動作を行う。詳しくは、ＳＲ動作は、受信したフレームが無線通信端末が含まれたＢＳＳから伝送されたフレームであるのか、または他のＢＳＳから伝送されたフレームであるのかに応じてチャネルに接近する動作を含む。具体的な実施例において、チャネルに接近する動作はＣＣＡ動作とデフェラル（ｄｅｆｅｒｒａｌ）動作を含む。例えば、無線通信端末は無線通信端末が受信したフレームが無線通信端末含まれたＢＳＳから伝送されたフレームであるのか、またはＯＢＳＳから伝送されたフレームであるのかに応じて、ＣＣＡ閾値（ｔｈｒｅｓｈｏｌｄ）を調整（ａｄｊｕｓｔ)する。また、無線通信端末は、ＳＲの動作の際にＣＣＡ動作の結果に応じて伝送するＰＰＤＵの伝送パワーを調節する。無線通信端末のＳＲ動作（ｏｐｅｒａｔｉｏｎ)のための実施利例について、図６乃至図２３を介して説明する。
【００５５】
説明の便宜上、無線通信端末が含まれたＢＳＳをＩｎｔｒａ−ＢＳＳと称し、Ｉｎｔｒａ−ＢＳＳと重複する基本サービスセットをＯＢＳＳ（Ｏｖｅｒｌａｐｐｅｄ  Ｂａｓｉｃ  Ｓｅｒｖｉｃｅ  Ｓｅｔ）と称する。また、Ｉｎｔｒａ−ＢＳＳから伝送されたフレームをＩｎｔｒａ−ＢＳＳフレーム、ＯＢＳＳから伝送されたフレームをＯＢＳＳフレームまたはＩｎｔｅｒ−ＢＳＳフレームと称する。
【００５６】
無線通信端末は、一つのＭＳＤＵ、一つのＡ（Ａｇｇｒｅｇａｔｅ）−ＭＳＤＵ、及び一つのＭＰＤＵ（ｍａｎａｇｅｍｅｎｔ  ｐｒｏｔｏｃｏｌ  ｄａｔａ  ｕｎｉｔ）のうち少なくとも一つをフラグメンテーションして（ｆｒａｇｍｅｎｔ）伝送する。説明の便宜上、フラグメンテーションを介して生成されたＭＳＤＵの一部（ｐｏｒｔｉｏｎ）、Ａ−ＭＳＤＵの一部、またはＭＰＤＵの一部をフラグメンテーションと称する。また、データを伝送する無線通信端末を伝送者（ｏｒｉｇｉｎａｔｏｒ）と称し、データを受信する無線通信端末を受信者（ｒｅｃｉｐｉｅｎｔ）と称する。
【００５７】
詳しくは、無線通信端末は、一つのＭＳＤＵ、一つのＡ−ＭＳＤＵ、及び一つのＭＰＤＵのうち少なくともいずれか一つをフラグメンテーションし、複数のフラグメントを生成する。この際、無線通信端末は生成された複数のフラグメントを複数のＭＰＤＵに伝送する。また、複数のフラグメントを受信した無線通信端末は、複数のフラグメントをデフラグメンテーションして（ｄｅｆｒａｇｍｅｎｔ）、一つのＭＳＤＵ、一つのＡ−ＭＳＤＵ、及び一つのＭＰＤＵのうち少なくともいずれか一つを獲得する。この際、ＭＰＤＵはＳ−ＭＰＤＵやＡ−ＭＰＤＵであってもよい。
【００５８】
図６は、本発明の実施例によるＡＤＤＢＡを利用するフラグメンテーションレベルに関する情報伝送方法を示す図である。
【００５９】
受信者は、複数のフラグメントをデフラグメンテーションするのに十分なバッファ容量とプロセッシング能力が必要である。そのために、伝送者は受信者が支援し得るデフラグメンテーションレベルを知っている必要がある。よって、無線通信端末は、無線通信端末が受信し得るフラグメンテーションの程度を示すフラグメンテーションレベルに対してシグナリングする。詳しくは、無線通信端末は、ＡＰである無線通信端末とのリングセットアップ過程で無線通信端末が受信し得るフラグメントのフラグメンテーションレベルに関する情報を伝送し、ＡＰである無線通信端末が受信し得るフラグメントのフラグメンテーションレベルに関する情報を受信する。詳しくは、無線通信端末はフラグメンテーションレベルに関する情報をＯｐｅｒａｔｉｏｎエレメントを介して伝送する。具体的な実施例において、無線通信端末は、ＯｐｅｒａｔｉｏｎエレメントのＣａｐａｂｉｌｉｔｉｅｓフィールドを介してフラグメンテーションレベルに関する情報を伝送する。この際、Ｃａｐａｂｉｌｉｔｉｅｓフィールドは無線通信端末の能力（ｃａｐａｂｉｌｉｔｙ）を示すフィールドである。また、無線通信端末はプローブ要請（ｐｒｏｂｅ  ｒｅｑｕｅｓｔ）フレーム、プローブ応答（ｐｒｏｂｅ  ｒｅｓｐｏｎｓｅ）フレーム、認証要請（ａｕｔｈｅｎｔｉｃａｔｉｏｎ  ｒｅｑｕｅｓｔ）フレーム、認証応答（ａｕｔｈｅｎｔｉｃａｔｉｏｎ  ｒｅｓｐｏｎｓｅ）フレーム、結合要請（ａｓｓｏｃｉａｔｉｏｎ  ｒｅｑｕｅｓｔ）フレーム、及び結合応答（ａｓｓｏｃｉａｔｉｏｎ  ｒｅｓｐｏｎｓｅ）フレームのうち少なくとも一つを介してフラグメンテーションレベルに関する情報を伝送する。
また、フラグメンテーションレベルは４つのレベルに区分される。レベル０は、無線通信端末が受信するＭＳＤＵに対するフラグメンテーションを支援しないことを示す。また、レベル１は、無線通信端末が一つのフラグメントを含むＭＰＤＵを受信し得ることを示す。この際、ＭＰＤＵは他のＭＰＤＵと結合（ａｇｇｒｅｇａｔｅ）されないシングルＭＰＤＵ、またはＡ−ＭＰＤＵではないＭＰＤＵである。また、レベル２は、無線通信端末がＭＳＤＵごとに一つのフラグメントを含むＡ−ＭＰＤＵを受信し得ることを示す。詳しくは、レベル２は、無線通信端末がＭＳＤＵごとに一つ以下のフラグメントを含むＡ−ＭＰＤＵを受信し得ることを示す。レベル３は、無線通信端末がＭＳＤＵごとに複数のフラグメントを含むＡ−ＭＰＤＵを受信し得ることを示す。詳しくは、レベル３は、無線通信端末がＭＳＤＵごとに４つ以下のフラグメントを含むＡ−ＭＰＤＵを受信し得ることを示す。
【００６０】
図６の実施例において、ステーションＳＴＡはアクセスポイントＡＰにプローブ要請フレームｐｒｏｂｅ  ｒｅｑ．を伝送する。この際、ステーションＳＴＡはプローブ要請フレームｐｒｏｂｅ  ｒｅｑ．にステーションが支援するフラグメンテーションレベルに関する情報を挿入する。また、アクセスポイントＡＰは、ステーションＳＴＡにプローブ応答フレームＰｒｏｂｅ  ｒｅｓｐ．を伝送する。この際、アクセスポイントＡＰは、プローブ応答フレームＰｒｏｂｅ  ｒｅｓｐ．にアクセスポイントＡＰが支援するフラグメンテーションレベルに関する情報を挿入する。
【００６１】
ステーションＳＴＡとアクセスポイントＡＰは、ＡＤＤＢＡ要請フレームＡＤＤＢＡ  ｒｅｑ．とＡＤＤＢＡ応答フレームＡＤＤＢＡ  ｒｅｓｐ．を介してＢｌｏｃｋ  ＡＣＫフレームの伝送を協議する。ステーションＳＴＡは、アクセスポイントＡＰが伝送したフラグメンテーションレベルに関する情報に基づいてＡ−ＭＰＤＵを伝送する。詳しくは、ステーションＳＴＡは、アクセスポイントＡＰが伝送したフラグメンテーションレベルに関する情報に基づいて、アクセスポイントＡＰにアクセスポイントＡＰが支援するフラグメンテーションレベルのフラグメントを含むＡ−ＭＰＤＵを伝送する。アクセスポイントＡＰは、ステーションＳＴＡにＡ−ＭＰＤＵに対するＢｌｏｃｋ  ＡＣＫ（ＢＡ）フレームを伝送する。
【００６２】
受信者がフラグメントを含まないか、一つのＭＳＤＵごとに一つのフラグメントを含むＡ−ＭＰＤＵを受信した場合、受信者は各ＭＳＤＵの受信可否を示すビットマップ（ｂｉｔｍａｐ）を含むＢｌｏｃｋ  ＡＣＫフレームを伝送する。また、受信者が一つのＭＳＤＵに当たる複数のフラグメントを含むＡ−ＭＰＤＵを受信した場合、受信者は各フラグメントの受信可否を示すビットマップを含むＢｌｏｃｋ  ＡＣＫフレームを伝送する。Ｂｌｏｃｋ  ＡＣＫフレームの具体的な形態については、図１４乃至図２２を介して説明する。
【００６３】
受信者がフラグメントレベル３を支援し、Ａ−ＭＰＤＵが含む複数のＭＰＤＵのいずれか一つ以上を受信できなかった場合、受信者は伝送者が一つのＭＳＤＵに当たる複数のフラグメントをＡ−ＭＰＤＵを介して伝送したのかを知ることができない。よって、レベル３を支援する受信者は、いつも各フラグメントの受信可否を示すビットマップを含むＢｌｏｃｋ  ＡＣＫフレームを伝送する必要がある。
【００６４】
また、リンクセットアップは無線通信端末が新たなＢＳＳにアクセスする場合にのみ行われる。よって、リンクセットアップ手順を介してフラグメンテーションレベルに関する情報を伝送した場合、リンクセットアップが行われた後はフラグメンテーションレベルを更に設定するために不必要なリンクセットアップを再度行わなければならない。よって、無線通信端末は、ネットワーク状況に応じてはフラグメンテーションレベルを再設定することが難しい。また、リンクセットアップ過程において、無線通信端末は無線通信端末が受信するか伝送するトラフィックの種類の特定することが難しい。また、無線通信端末がリンクセットアップを介してフラグメンテーションレベルに関する情報を伝送する場合、無線通信端末はトラフィックの種類別にフラグメンテーションレベルを指定することが難しい恐れがある。
【００６５】
このような点を考慮すると、フラグメンテーションレベルに関する情報を効率的に伝送し、発信者と送信者が動的に（ｄｙｎａｍｉｃａｌｌｙ）フラグメンテーションレベルを交渉（ｎｅｇｏｔｉａｔｅ）し得る方法が必要である。フラグメンテーションレベルに関する情報の伝送及びフラグメンテーションレベルの交渉に関する実施例について、図６乃至図１４を介して説明する。
【００６６】
図７は、本発明の他の実施例によってフラグメンテーションレベルに関する情報をシグナリングするＡＤＤＢＡ要請フレーム及びＡＤＤＢＡ応答フレームのフォーマットを示す図である。
【００６７】
伝送者は、Ｂｌｏｃｋ  ＡＣＫフレームを伝送するＡＤＤＢＡ（Ａｄｄ  Ｂｌｏｃｋ  Ａｃｋｎｏｗｌｅｄｇｍｅｎｔ）設定手順を介し、データ伝送の際に使用するフラグメンテーションレベルをシグナリングする。また、伝送者はＡＤＤＢＡ手順を介して受信者がシグナリングするフラグメンテーションレベルに関する情報に基づいてデータ伝送の際に使用するフラグメンテーションレベルを決定する。詳しくは、伝送者はＢｌｏｃｋ  ＡＣＫフレームに関するパラメータを含むＡＤＤＢＡ要請（ｒｅｑｕｅｓｔ）フレームを受信者に伝送する。受信者は伝送者にＡＤＤＢＡ応答フレームを伝送し、Ｂｌｏｃｋ  ＡＣＫフレームの伝送を設定する。この際、ＡＤＤＢＡ要請フレームとＡＤＤＢＡ応答フレームはアクションフレームの一種である。よって、無線通信端末は無線通信端末が必要な際にＡＤＤＢＡ要請フレームを伝送することができる。Ｂｌｏｃｋ  ＡＣＫフレームの伝送を設定するＡＤＤＢＡ手順を介してデータ伝送の際に使用するフラグメンテーションレベルが決定される場合、伝送者と受信者はデータ伝送に使用されるフラグメンテーションレベルをより柔軟に変更することができる。
【００６８】
ＡＤＤＢＡ設定手順において、伝送者は受信者にデータを伝送する際に使用しようとする（ｉｎｔｅｎｄｅｄ）フラグメンテーションレベルに関する情報を伝送する。詳しくは、伝送者はＡＤＤＢＡ要請フレームを介してデータを伝送する際、使用しようとするフラグメンテーションレベルに関する情報を伝送する。フラグメンテーションレベルに関する情報は、伝送者がデータを伝送する際に使用しようとするフラグメントレベルの最大値を示す。また、フラグメンテーションレベルに関する情報はＴＩＤ別に指定されてもよい。詳しくは、伝送者はＡＤＤＢＡ要請フレームを介して特定のＴＩＤに当たるデータを伝送する際、使用しようとするフラグメンテーションレベルに関する情報を伝送する。特定のＴＩＤはＡＤＤＢＡ要請フレームのＢｌｏｃｋ  ＡＣＫ  Ｐａｒａｍｅｔｅｒ  Ｓｅｔで特定されたＴＩＤであってもよい。例えば、伝送者はＡＤＤＢＡ要請フレームがシグナリングするフラグメンテーションレベルをレベル０と設定し、伝送者が該当ＴＩＤに関するデータを伝送する際、フラグメンテーションをしようとしないことをシグナリングする。また、伝送者はＡＤＤＢＡ要請フレームがシグナリングするフラグメンテーションレベルをレベル１と設定し、伝送者が該当ＴＩＤに関するデータを伝送する際、レベル１以下に当たるフラグメントを伝送しようとすることをシグナリングする。詳しくは、伝送者はＡＤＤＢＡ要請フレームがシグナリングするフラグメンテーションレベルをレベル１と設定し、伝送者が該当ＴＩＤに関するデータを伝送する際、一つのフラグメントを含む一つのＭＰＤＵを伝送することを示す。この際、ＭＰＤＵは上述したように他のＭＰＤＵと結合されないシングルＭＰＤＵであるか、Ａ−ＭＰＤＵではないＭＰＤＵである。また、伝送者はＡＤＤＢＡ要請フレームがシグナリングするフラグメンテーションレベルをレベル２と設定し、伝送者が該当ＴＩＤに関するデータを伝送する際、レベル２以下に当たるフラグメントを伝送しようとすることをシグナリングする。詳しくは、伝送者はＡＤＤＢＡ要請フレームがシグナリングするフラグメンテーションレベルをレベル２と設定し、伝送者がＡ−ＭＰＤＵを介して該当ＴＩＤに関するデータを伝送する際、ＭＰＤＵごとに一つ以下のフラグメントを伝送しようとすることをシグナリングする。また、伝送者はＡＤＤＢＡ要請フレームがシグナリングするフラグメンテーションレベルをレベル３と設定し、伝送者が該当ＴＩＤに関するデータを伝送する際、レベル３以下に当たるフラグメントを伝送しようとすることをシグナリングする。詳しくは、伝送者はＡＤＤＢＡ要請フレームがシグナリングするフラグメンテーションレベルをレベル３と設定し、伝送者がＡ−ＭＰＤＵを介して該当ＴＩＤに関するデータを伝送する際、ＭＰＤＵごとに４つ以下のフラグメントを伝送しようとすることをシグナリングする。
【００６９】
また、ＡＤＤＢＡ設定手順において、受信者は伝送者に受信者がデータを受信する際に支援し得る（ｃａｐａｂｌｅ  ｏｆ）フラグメンテーションレベルに関する情報を伝送する。詳しくは、受信者はＡＤＤＢＡ応答フレームを介して受信者がデータを受信する際に支援し得るフラグメンテーションレベルに関する情報を伝送する。フラグメンテーションレベルに関する情報は、受信者が受信し得るフラグメントのフラグメンテーションレベルの最大値である。また、フラグメンテーションレベルに関する情報はＴＩＤ別に指定されてもよい。詳しくは、受信者はＡＤＤＢＡ応答フレームを介して特定のＴＩＤに当たるデータを受信する際に支援し得るフラグメンテーションレベルに関する情報を伝送する。特定のＴＩＤはＡＤＤＢＡ応答フレームのＢｌｏｃｋ  ＡＣＫ  Ｐａｒａｍｅｔｅｒ  Ｓｅｔで特定されたＴＩＤであってもよい。例えば、受信者はＡＤＤＢＡ応答フレームがシグナリングするフラグメンテーションレベルをレベル０と設定し、受信者が該当ＴＩＤに関するデータを受信する際、フラグメントを受信できないことをシグナリングする。また、受信者はＡＤＤＢＡ応答フレームがシグナリングするフラグメンテーションレベルをレベル１と設定し、受信者が該当ＴＩＤに関するデータを伝送する際、レベル１以下に当たるフラグメントのみを伝送し得ることをシグナリングする。詳しくは、受信者はＡＤＤＢＡ応答フレームがシグナリングするフラグメンテーションレベルをレベル１と設定し、受信者が該当ＴＩＤに関するデータを受信する際、一つのフラグメントを含む一つのＭＰＤＵを受信し得ることを示す。この際、ＭＰＤＵは上述したように他のＭＰＤＵと結合されないシングルＭＰＤＵであるか、またはＡ−ＭＰＤＵではないＭＰＤＵである。また、受信者はＡＤＤＢＡ応答フレームがシグナリングするフラグメンテーションレベルをレベル２と設定し、受信者が該当ＴＩＤに関するデータを受信する際、レベル１またはレベル２に当たるフラグメントを受信し得ることをシグナリングする。詳しくは、受信者はＡＤＤＢＡ応答フレームがシグナリングするフラグメンテーションレベルをレベル２と設定し、受信者が一つのフラグメントを含む一つのＭＰＤＵを受信するか、ＭＳＤＵごとに一つ以下のフラグメントを含むＡ−ＭＰＤＵ受信し得ることをシグナリングする。また、受信者はＡＤＤＢＡ応答フレームがシグナリングするフラグメンテーションレベルをレベル３と設定し、受信者が該当ＴＩＤに関するデータを受信する際、レベル１、レベル２またはレベル３に当たるフラグメントを受信し得ることをシグナリングする。詳しくは、受信者はＡＤＤＢＡ応答フレームがシグナリングするフラグメンテーションレベルをレベル３と設定し、受信者が一つのフラグメントを含む一つのＭＰＤＵまたはＭＰＤＵごとに４つ以下のフラグメントを含むＡ−ＭＰＤＵ受信し得ることをシグナリングする。
【００７０】
伝送者は、受信者からフラグメンテーションレベルに関する情報を受信する。詳しくは、伝送者はＡＤＤＢＡ応答フレームを受信し、ＡＤＤＢＡ応答フレームがシグナリングするフラグメンテーションレベルに関する情報を獲得する。伝送者は、獲得したフラグメンテーションレベルに関する情報に基づいてデータを伝送する際に使用するフラグメンテーションレベルを決定する。詳しくは、伝送者は獲得したフラグメンテーションレベルに関する情報が示すフラグメンテーションレベル以下にデータをフラグメンテーションしてデータを伝送する。また、受信者は決定されたフラグメンテーションレベルに基づいてＢｌｏｃｋ  ＡＣＫフレームのビットマップフォーマットを選択する。受信者がデータを受信した後、受信者は伝送者に選択したビットマップフォーマットを有するＢｌｏｃｋ  ＡＣＫフレームを伝送する。また、ＡＤＤＢＡ手順を介してフラグメンテーションレベルが更に変更される前までは、伝送者は決定されたフラグメンテーションレベルに基づいて動作する。詳しくは、伝送者が新たなＡＤＤＢＡ設定手順を介してフラグメンテーションレベルに関する情報を受信する前までは、伝送者は以前決定されたフラグメンテーションレベルに基づいて動作する。具体的な実施例において、伝送者が新たなＡＤＤＢＡ要請フレームを伝送し、新たなＡＤＤＢＡ応答フレームを受信する前まで、伝送者は決定されたフラグメンテーションレベルに基づいて動作する。ＡＤＤＢＡ手順を介してフラグメンテーションレベルが更に変更される前までは、受信者も同じく決定されたフラグメンテーションレベルに基づいて動作する。また、伝送者はリンクセットアップ過程で伝送されたフラグメンテーションレベルの情報に関わらず、ＡＤＤＢＡ手順を介して決定されたフラグメンテーションレベルに応じて動作する。受信者も同じく、リンクセットアップ過程で伝送されたフラグメンテーションレベルの情報に関わらず、ＡＤＤＢＡ手順を介して決定されたフラグメンテーションレベルに応じて動作する。
【００７１】
他の具体的な実施例において、伝送者はリンクセットアップ過程で受信者がシグナリングしたフラグメンテーションレベルより小さいか同じフラグメンテーションレベルを受信者に要請する。詳しくは、伝送者はリンクセットアップ過程で受信者がシグナリングしたレベルより小さいか同じフラグメンテーションレベルを受信者に伝送するデータに使用することをシグナリングする。また、受信者は伝送者が要請したフラグメンテーションレベルより小さいか同じフラグメンテーションレベルを受信し得ることをシグナリングする。
【００７２】
具体的な実施例において、伝送者と受信者はＡＤＤＢＡ要請フレームとＡＤＤＢＡ応答フレームが含むＡＤＤＢＡ  Ｃａｐａｂｉｌｉｔｉｅｓフィールドを介してフラグメンテーションレベルに関する情報を伝送する。この際、ＡＤＤＢＡ  Ｃａｐａｂｉｌｉｔｉｅｓフィールドはフラグメンテーションレベルを示すＭｕｌｔｉｐｌｅ  Ｆｒａｇｍｅｎｔａｔｉｏｎフィールドを含む。Ｍｕｌｔｉｐｌｅ  Ｆｒａｇｍｅｎｔａｔｉｏｎフィールドは、フラグメンテーションレベルがレベル２より低いレベルであるのか、レベル２以上のレベルであるのかを示す１ビットのフィールドである。他の具体的な実施例において、Ｍｕｌｔｉｐｌｅ  Ｆｒａｇｍｅｎｔａｔｉｏｎフィールドはフラグメンテーションレベルがレベル０からレベル３までのうちどのレベルであるのかを示す２ビットのフィールドであってもよい。具体的なＡＤＤＢＡ要請フレームとＡＤＤＢＡ応答フレームの形式は図７（ａ）のようである。また、ＡＤＤＢＡ  Ｃａｐａｂｉｌｉｔｉｅｓフィールドの形式は図７（ｂ）と図７（ｃ）のようである。
【００７３】
図８は、本発明のまた他の実施例によってフラグメンテーションレベルに関する情報をシグナリングするＭＡＣフレームフォーマットを示す図である。
【００７４】
伝送者は、データを含むＭＰＤＵを介してフラグメンテーションレベルに関する情報を伝送する。詳しくは、伝送者は、データを含むＭＰＤＵのＳｅｑｕｅｎｃｅ  Ｃｏｎｔｒｏｌフィールドを介してフラグメンテーションレベルに関する情報を伝送する。レガシー無線通信端末は、一つのＭＳＤＵを最大１６個のフラグメントにフラグメンテーションして伝送する。よって、レガシー無線通信端末は、ＭＰＤＵのＳｅｑｕｅｎｃｅ  Ｃｏｎｔｒｏｌフィールドにおいて、フラグメントナンバーを示すＦｒａｇｍｅｎｔ  Ｎｕｍｂｅｒフィールドを４ビットのフィールドに設定する。本発明の実施例による無線通信端末は、一つのＭＳＤＵを最大４つのフラグメントにフラグメンテーションして伝送する。よって、本発明の実施例による無線通信端末は、ＭＰＤＵのＳｅｑｕｅｎｃｅ  Ｃｏｎｔｒｏｌフィールドにおいて、フラグメントナンバーを示すＦｒａｇｍｅｎｔ  Ｎｕｍｂｅｒフィールドを２ビットのフィールドに設定する。この際、無線通信端末は、残りの２ビットをフラグメンテーションレベルを示すＭｕｌｔｉｐｌｅ  Ｆｒａｇｍｅｎｔａｔｉｏｎフィールドやリザーブドビットに設定する。詳しくは、Ｍｕｌｔｉｐｌｅ  Ｆｒａｇｍｅｎｔａｔｉｏｎフィールドは、フラグメンテーションレベルがレベル２より低いレベルであるのか、レベル２以上のレベルであるのかを示す１ビットのフィールドである。他の具体的な実施例において、Ｍｕｌｔｉｐｌｅ  Ｆｒａｇｍｅｎｔａｔｉｏｎフィールドはフラグメンテーションレベルがレベル０からレベル３までのうちどのレベルであるのかを示す２ビットのフィールドであってもよい。具体的なＭＰＤＵの形式は図８（ａ）のようである。また、Ｓｅｑｕｅｎｃｅ  Ｃｏｎｔｒｏｌフィールドの形式は図８（ｂ）のようである。また他の具体的な実施例において、伝送者は、データを含むＭＰＤＵのヘッダを介してフラグメンテーションレベルに関する情報を伝送する。この際、伝送者は、データを含むＭＰＤＵのヘッダのＦｒａｍｅ  Ｃｏｎｔｒｏｌエレメントを介してフラグメンテーションレベルに関する情報を伝送する。
【００７５】
受信者はＡＤＤＢＡ応答フレームに基づいて、Ｂｌｏｃｋ  ＡＣＫフレームの形式を選択する。この際、受信者は伝送者が伝送したデータに対するＢｌｏｃｋ  ＡＣＫフレームを選択したＢｌｏｃｋ  ＡＣＫフレームの形式に応じて伝送する。詳しくは、伝送者がデータを含むＭＰＤＵごとにフラグメンテーションレベルを示せば、受信者は受信者が受信したデータ伝送に使用されたフラグメンテーションレベルを明確に認識することができる。よって、受信者はフラグメンテーションレベルに応じてＢｌｏｃｋ  ＡＣＫフレームの形式を選択する。この際、受信者は伝送者が伝送したデータに対するＢｌｏｃｋ  ＡＣＫフレームを選択したＢｌｏｃｋ  ＡＣＫフレームの形式に応じて伝送する。
【００７６】
図９は、本発明の更に他の実施例によってフラグメンテーションレベルに関する情報をシグナリングするＡＤＤＢＡ応答フレーム及びＡＤＤＢＡ要請フレームのフォーマットを示す図である。
【００７７】
図７を介して説明した実施例において、受信者はＡＤＤＢＡ応答フレームのＡＤＤＢＡ  Ｃａｐａｂｉｌｉｔｉｅｓフィールドではなく、Ｂｕｆｆｅｒ  Ｓｉｚｅフィールドを介してフラグメンテーションレベルに関する情報をシグナリングする。詳しくは、受信者はＡＤＤＢＡ応答フレームのＢｕｆｆｅｒ  Ｓｉｚｅフィールドの一部のビットがフラグメンテーションレベルに関する情報をシグナリングするように設定する。具体的な実施例において、ＡＤＤＢＡ応答フレームのＢｕｆｆｅｒ  ＳｉｚｅフィールドのＬＳＢ１ビットまたはＭＳＢ１ビットがフラグメンテーションレベルに関する情報をシグナリングするように設定する。この際、フラグメンテーションレベルに関する情報は、フラグメンテーションレベルがレベル２より低いレベルなのか、レベル２以上のレベルであるのかを示す。他の具体的な実施例において、受信者は、ＡＤＤＢＡ応答フレームのＢｕｆｆｅｒ  ＳｉｚｅフィールドのＬＳＢ２ビットまたはＭＳＢ２ビットがフラグメンテーションレベルに関する情報をシグナリングするように設定する。この際、フラグメンテーションレベルに関する情報は、フラグメンテーションレベルがレベル０からレベル３までのうちどのレベルであるのかを示す。
【００７８】
詳しくは、受信者はＡＤＤＢＡ応答フレームのＢｕｆｆｅｒ  Ｓｉｚｅフィールドが示す値の大きさを介して、フラグメンテーションレベルに関する情報を黙示的に（ｉｍｐｌｉｃｉｔｌｙ）シグナリングする。例えば、Ｂｕｆｆｅｒ  Ｓｉｚｅフィールドの値が０であれば、Ｂｕｆｆｅｒ  Ｓｉｚｅフィールドはフラグメンテーションレベルがレベル０であることを示す。また、Ｂｕｆｆｅｒ  Ｓｉｚｅフィールドの値が１であれば、Ｂｕｆｆｅｒ  Ｓｉｚｅフィールドはフラグメンテーションレベルがレベル１であることを示す。また、Ｂｕｆｆｅｒ  Ｓｉｚｅフィールドの値が２と同じであるか大きく６３と同じであるか小さければ、Ｂｕｆｆｅｒ  Ｓｉｚｅフィールドはフラグメンテーションレベルがレベル２であることを示す。また、Ｂｕｆｆｅｒ  Ｓｉｚｅフィールドの値が６４と同じであるか大きく１０２３と同じであるか小さければ、Ｂｕｆｆｅｒ  Ｓｉｚｅフィールドはフラグメンテーションレベルがレベル３であることを示す。
【００７９】
また、伝送者はＡＤＤＢＡ応答フレームのＢｕｆｆｅｒ  Ｓｉｚｅフィールドを介してフラグメンテーションレベルに関する情報をシグナリングする。この際、Ｂｕｆｆｅｒ  Ｓｉｚｅフィールドの形式とシグナリング方法は、上述した受信者がＡＤＤＢＡ応答フレームを介してフラグメンテーションレベルに関する情報をシグナリングする実施例と同じである。
【００８０】
また、伝送者及び受信者は、図７で説明したように、ＴＩＤ別にフラグメンテーションレベルに関する情報をシグナリングしてもよい。この際、ＴＩＤはＢｌｏｃｋ  ＡＣＫ  Ｐａｒａｍｅｔｅｒ  Ｓｅｔフィールドによって特定される。
【００８１】
具体的なＡＤＤＢＡ応答フレーム及びＡＤＤＢＡ要請フレームの形式は、図９（ａ）の実施例のようである。また、Ｂｌｏｃｋ  ＡＣＫ  Ｐａｒａｍｅｔｅｒ  Ｓｅｔフィールドの形式は図９（ｂ）の実施例のようである。
【００８２】
図１０は、本発明の更に他の実施例によってフラグメンテーションレベルに関する情報をシグナリングするＡＤＤＢＡ応答フレーム及びＡＤＤＢＡ要請フレームのフォーマットを示す図である。
【００８３】
ＡＤＤＢＡ応答フレームが複数のＴＩＤに関するＢｌｏｃｋ  ＡＣＫフレームの伝送を設定する場合、受信者はＢｌｏｃｋ  ＡＣＫ  Ｐａｒａｍｅｔｅｒ  Ｓｅｔフィールドのサブフィールドを設定し、ＡＤＤＢＡ応答フレームによってＢｌｏｃｋ  ＡＣＫフレームの伝送が設定される全てのＴＩＤに該当フレグメンテーションレベルに関する情報が適用されることを示す。この際、Ｂｌｏｃｋ  ＡＣＫ  Ｐａｒａｍｅｔｅｒ  ＳｅｔフィールドのサブフィールドはＡｌｌ  ＴＩＤフィールドと称される。Ａｌｌ  ＴＩＤフィールドは１ビットのフィールドである。
【００８４】
また、ＡＤＤＢＡ要請フレームが複数のＴＩＤに関するＢｌｏｃｋ  ＡＣＫフレーム伝送を設定する場合、伝送者はＢｌｏｃｋ  ＡＣＫ  Ｐａｒａｍｅｔｅｒ  Ｓｅｔフィールドのサブフィールドを設定し、ＡＤＤＢＡ応答フレームが指示する全てのＴＩＤに該当フレグメンテーションレベルに関する情報が適用されることを示す。この際、伝送者が設定するＢｌｏｃｋ  ＡＣＫ  Ｐａｒａｍｅｔｅｒ  ＳｅｔフィールドのサブフィールドはＡｌｌ  ＴＩＤフィールドと称される。Ａｌｌ  ＴＩＤフィールドは１ビットのフィールドである。
【００８５】
具体的なＡＤＤＢＡ応答フレーム及びＡＤＤＢＡ要請フレームの形式は図１０（ａ）の実施例のようであり、Ｂｌｏｃｋ  ＡＣＫ  Ｐａｒａｍｅｔｅｒ  Ｓｅｔフィールドの形式は図１０（ｂ）の実施例のようである。Ａｌｌ  ＴＩＤフィールドの設定を除いた伝送者と受信者の動作は、図９の実施例における伝送者と受信者の動作と同じであってもよい。また、Ａｌｌ  ＴＩＤフィールドを除いたＡＤＤＢＡ要請フレームの形式及びＡＤＤＢＡ応答フレームの形式は、図９の実施例で説明したＡＤＤＢＡ要請フレームの形式及びＡＤＤＢＡ応答フレームの形式と同じであってもよい。
【００８６】
図７乃至図１０を介して説明した実施例において、伝送者と受信者は１：１でフラグメンテーションレベルに関する情報を交換する。また、ＡＤＤＢＡ手順を利用してフラグメンテーションレベルに関する情報を伝送する場合、４−Ｗａｙハンドシェイクを介してデータ伝送に使用されるフラグメンテーションレベルが決定される。よって、データ伝送に使用されるフラグメンテーションレベルが決定される前まで相対的に多い時間が所要される。無線通信端末がトリガフレームを介してフラグメンテーションレベルに関する情報を伝送する場合、一つの無線通信端末が複数の無線通信端末にフラグメンテーションレベルに関する情報を伝送する。また、相対的に短い時間内にデータの伝送に使用されるフラグメンテーションレベルが決定される。それについては、図１１乃至図１２を介して説明する。
【００８７】
図１１は、本発明の更に他の実施例によってフラグメンテーションレベルに関する情報をシグナリングするトリガフレームフォーマットを示す図である。
【００８８】
無線通信端末は、トリガフレームを介してフラグメンテーションレベルに関する情報を伝送する。この際、トリガフレームはアップリングマルチユーザ（Ｕｐｌｉｎｋ  Ｍｕｌｔｉ−Ｕｓｅｒ、ＵＬ  ＭＵ）伝送をトリガリングする。詳しくは、トリガフレームを介してシグナリングされるフラグメンテーションレベルに関する情報は、トリガフレームを伝送する無線通信端末がデータを受信する際に支援し得るフラグメンテーションレベルを示す。具体的な実施例において、トリガフレームを介してシグナリングされるフラグメンテーションレベルに関する情報は、トリガフレームを伝送する無線通信端末が、トリガフレームに基づくデータ受信の際に支援し得るフラグメンテーションレベルを示す。フラグメンテーションレベルに関する情報を示すフィールドをＭｕｌｔｉｐｌｅ  Ｆｒａｇｍｅｎｔｓフィールドと称する。具体的な実施例において、無線通信端末は、トリガフレームのＣｏｍｍｏｎ  ＩｎｆｏフィールドにＭｕｌｔｉｐｌｅ  Ｆｒａｇｍｅｎｔｓフィールドを挿入する。この際、トリガフレームの形式は、図１１（ａ）の実施例のようである。例えば、無線通信端末は図１１（ｃ）の実施例のように、トリガフレームのＴｒｉｇｇｅｒ  Ｄｅｐｅｎｄｅｎｔ  Ｃｏｍｍｏｎ  ＩｎｆｏフィールドにＭｕｌｔｉｐｌｅ  Ｆｒａｇｍｅｎｔｓフィールドを挿入する。他の具体的な実施例において、無線通信端末は図１１（ｂ）の実施例のように、Ｃｏｍｍｏｎ  ＩｎｆｏフィールドにＴｒｉｇｇｅｒ  Ｄｅｐｅｎｄｅｎｔ  Ｃｏｍｍｏｎ  Ｉｎｆｏフィールド以外にＭｕｌｔｉｐｌｅ  Ｆｒａｇｍｅｎｔｓフィールドを挿入してもよい。
【００８９】
上述した実施例のように、Ｍｕｌｔｉｐｌｅ  Ｆｒａｇｍｅｎｔａｔｉｏｎフィールドは、フラグメンテーションレベルがレベル２より低いレベルであるのか、レベル２以上のレベルであるのかを示す１ビットのフィールドである。他の具体的な実施例において、Ｍｕｌｔｉｐｌｅ  Ｆｒａｇｍｅｎｔａｔｉｏｎフィールドはフラグメンテーションレベルがレベル０からレベル３までのうちどのレベルであるのかを示す２ビットのフィールドであってもよい。
【００９０】
トリガフレームのＣｏｍｍｏｎ  Ｉｎｆｏフィールドはトリガフレームを受信する無線通信端末に共通に適用される情報であるため、無線通信端末はトリガフレームを受信する複数の無線通信端末に全て同じフラグメンテーションレベルに関する情報をシグナリングする。無線通信端末別にプロセッシング能力に差があり得るため、全て同じフラグメンテーションレベルを適用することは非効率である。よって、無線通信端末が複数の無線通信端末それぞれに個別にフラグメンテーションレベルに関する情報をシグナリングする方法が必要である。それについては図１２を介して説明する。
【００９１】
図１２は、本発明の更に他の実施例によってフラグメンテーションレベルに関する情報をシグナリングするトリガフレームフォーマットを示す図である。
【００９２】
無線通信端末は、トリガフレームのＰｅｒ  Ｕｓｅｒ  Ｉｎｆｏフィールドを介してＰｅｒ  Ｕｓｅｒ  Ｉｎｆｏフィールドに当たる無線通信端末に適用されるフラグメンテーションレベルに関する情報をシグナリングする。この際、フラグメンテーションレベルに関する情報の形式は、図１１を介して説明した実施例と同じである。フラグメンテーションレベルに関する情報の形式は、図１１を介して説明した実施例と同じである。詳しくは、フラグメンテーションレベルに関する情報は、トリガフレームに基づくデータの伝送に使用されるフラグメンテーションレベルの制限に関する情報である。フラグメンテーションレベルに関する情報を示すフィールドをＭｕｌｔｉｐｌｅ  Ｆｒａｇｍｅｎｔｓフィールドと称する。フラグメンテーションレベルに関する情報を示すフィールドをＭｕｌｔｉｐｌｅ  Ｆｒａｇｍｅｎｔｓフィールドと称する。
【００９３】
トリガフレームの形式は、図１２（ａ）の実施例のようである。詳しくは、無線通信端末は図１２（ｃ）の実施例のように、Ｔｒｉｇｇｅｒ  Ｄｅｐｅｎｄｅｎｔ  Ｐｅｒ  Ｕｓｅｒ  ＩｎｆｏフィールドにＭｕｌｔｉｐｌｅ  Ｆｒａｇｍｅｎｔｓフィールドを挿入する。他の具体的な実施例において、無線通信端末は図１２（ｂ）の実施例のように、Ｔｒｉｇｇｅｒ  Ｄｅｐｅｎｄｅｎｔ  Ｐｅｒ  Ｕｓｅｒ  Ｉｎｆｏフィールド以外のＰｅｒ  Ｕｓｅｒ  ＩｎｆｏフィールドにＭｕｌｔｉｐｌｅ  Ｆｒａｇｍｅｎｔｓフィールドを挿入する。具体的なＭｕｌｔｉｐｌｅ  Ｆｒａｇｍｅｎｔｓフィールドの形式は、図１１の実施例で説明したようである。
【００９４】
伝送者に相対的に高いフラグメンテーションレベルを許容する場合、伝送者は多様な長さのフラグメントを生成した後、Ａ−ＭＰＤＵの長さに応じてフラグメントを選択的に伝送する。このような場合、相対的にプロセッシング能力が低い無線通信端末も多様な長さのＡ−ＭＰＤＵを迅速に伝送することができる。そのためには、受信者が伝送者のプロセッシング能力を考慮して伝送者に相対的に高いフラグメンテーションレベルを許容する。このような動作のためには、伝送者は受信者に伝送者のプロセッシング能力をシグナリングする方法が必要である。それについては図１３を介して説明する。
【００９５】
図１３は、本発明の実施例によって無線通信端末のプロセッシング能力を示す情報をシグナリングするＣａｐａｂｉｌｉｔｉｅｓエレメントの形式を示す図である。
【００９６】
無線通信端末は、リンクセットアップ過程で複数のフラグメント伝送許容要請を示す情報をシグナリングする。この際、複数のフラグメント伝送許容要請を示す情報を受信した無線通信端末は、複数のフラグメント伝送許容要請を示す情報に基づいて複数のフラグメント伝送許容要請を示す情報を伝送した無線通信端末に許容されるフラグメンテーションレベルを決定する。詳しくは、複数のフラグメント伝送許容要請を示す情報を受信した無線通信端末は、複数のフラグメント伝送許容要請を示す情報を伝送した無線通信端末に許容されるフラグメンテーションレベルをレベル２に決定する。
【００９７】
詳しくは、無線通信端末は無線通信端末のプロセッシング能力を示す情報を認証要請フレーム、結合要請フレーム、及びプローブ要請フレームのうち少なくとも一つを介して複数のフラグメント伝送許容要請を示す情報をシグナリングする。具体的な実施例において、無線通信端末は、Ｃａｐａｂｉｌｉｔｉｅｓエレメントを介して複数のフラグメント伝送許容要請を示す情報をシグナリングする。具体的な実施例において、無線通信端末は、Ｃａｐａｂｉｌｉｔｉｅｓエレメントに複数のフラグメント伝送許容要請を示すＬｏｗ  Ｐｒｏｃｅｓｓｉｎｇフィールドを挿入する。例えば、Ｌｏｗ  Ｐｒｏｃｅｓｓｉｎｇフィールドの値が1であれば、Ｌｏｗ  Ｐｒｏｃｅｓｓｉｎｇフィールドは複数のフラグメント伝送許容が要請されることを示す。
【００９８】
フラグメンテーションレベルの決定において、複数のフラグメント伝送許容が要請されるのかよりは、複数のフラグメント伝送許容要請を示す情報を受信した無線通信端末が複数のフラグメントを受信し得るのか優先される。受信者フラグメントを受信できなければ、フラグメント伝送を許容できないためである。よって、複数のフラグメント伝送許容要請を示す情報を受信した無線通信端末は、複数のフラグメント伝送許容が要請される場合であっても、複数のフラグメント伝送を許容しなくてもよい。詳しくは、複数のフラグメント伝送許容要請を示す情報を受信した無線通信端末は、複数のフラグメント伝送許容が要請される場合であっても、フラグメンテーションレベルをレベル０またはレベル１に設定してもよい。
【００９９】
図１４は、本発明の実施例によるＢｌｏｃｋ  ＡＣＫフレームの形式を示す図である。
受信者は、伝送者が伝送した複数のＭＰＤＵに対する受信可否を一つのＢｌｏｃｋ  ＡＣＫフレームに伝送する。受信者は、Ｂｌｏｃｋ  ＡＣＫフレームを伝送して、個別のＭＰＤＵごとにＡＣＫを伝送する場合より伝送効率をあげることができる。Ｂｌｏｃｋ  ＡＣＫフレームはＭＰＤＵの受信可否に関する情報を含むＢＡ  Ｉｎｆｏｒｍａｔｉｏｎフィールドを含む。具体的なＢｌｏｃｋ  ＡＣＫフレームの形式は図１４（ｂ）の実施例のようである。この際、ＢＡ  ＩｎｆｏｒｍａｔｉｏｎフィールドはＢｌｏｃｋ  ＡＣＫ  Ｂｉｔｍａｐフィールドを含む。具体的なＢＡ  Ｉｎｆｏｒｍａｔｉｏｎフィールドの形式は図１４（ｃ）の実施例のようである。また、ＢＡ  Ｃｏｎｔｒｏｌフィールドの形式は図１４（ａ）の実施例のようである。
【０１００】
Ｂｌｏｃｋ  ＡＣＫ  Ｂｉｔｍａｐフィールドは、上述したデータの受信可否を示すビットマップである。レガシー無線通信端末は、一つのＭＳＤＵを最大１６個のフラグメントで伝送する。よって、レガシー無線通信端末は、128バイトの長さを有するＢｌｏｃｋ  ＡＣＫ  Ｂｉｔｍａｐフィールドを使用して６４個のＭＳＤＵそれぞれが含むフラグメントの受信可否を示す。詳しくは、レガシー無線通信端末は、Ｂｌｏｃｋ  ＡＣＫ  Ｂｉｔｍａｐフィールドの１０２４ビットそれぞれをＭＳＤＵが含むそれぞれのフラグメントに割り当て、受信したフラグメントに当たるビットを1に設定する。レガシー無線通信端末がＢｌｏｃｋ  ＡＣＫ  Ｂｉｔｍａｐフィールドを介して全てのフラグメントの受信可否を示すことができる。よって、Ｂｌｏｃｋ  ＡＣＫ  Ｂｉｔｍａｐフィールドは、Ｂｌｏｃｋ  ＡＣＫ  Ｓｔａｒｔｉｎｇ  Ｓｅｑｕｅｎｃｅ  ＣｏｎｔｒｏｌフィールドのＦｒａｇｍｅｎｔ  Ｎｕｍｂｅｒフィールをリザーブドフィールドとして設定し、Ｓｅｑｕｅｎｃｅ  Ｎｕｍｂｅｒフィールドのみを使用する。具体的なＢｌｏｃｋ  ＡＣＫ  Ｓｔａｒｔｉｎｇ  Ｓｅｑｕｅｎｃｅ  Ｃｏｎｔｒｏｌフィールドの形式は図14（ｄ）の実施例のようである。
【０１０１】
本発明の実施例による無線通信端末は、上述したように一つのＭＳＤＵを最大4個のフラグメントにフラグメンテーションする。また、フラグメンテーションレベルに応じて無線通信端末がＭＳＤＵをフラグメンテーションして生成し得るフラグメントの個数が異なり得る。よって、無線通信端末はフラグメンテーションレベルに応じてＢｌｏｃｋ  ＡＣＫ  Ｂｉｔｍａｐフィールドの表示方法を変更する。詳しくは、無線通信端末が受信したデータに適用されたフラグメンテーションレベルがレベル３より低ければ、無線通信端末はＢｌｏｃｋ  ＡＣＫ  ＢｉｔｍａｐフィールドのビットそれぞれがＭＳＤＵそれぞれの受信可否を示すと設定する。また、無線通信端末が受信したデータに適用されたフラグメンテーションレベルがレベル３であれば、無線通信端末はＢｌｏｃｋ  ＡＣＫ  Ｂｉｔｍａｐフィールドのビットそれぞれがフラグメントそれぞれの受信可否を示すと設定する。それについては、図１５乃至図２１を介して説明する。
【０１０２】
図１５は、フラグメンテーションレベル：レベル３を支援する無線通信端末が本発明の実施例によってＢｌｏｃｋ  ＡＣＫフレームを伝送する方法を示す図である。
【０１０３】
伝送者がレベル３をフラグメンテーションレベルとして使用し得る場合であっても、受信者は受信したフラグメントのフラグメントナンバーに基づいてＢｌｏｃｋ  ＡＣＫ  Ｂｉｔｍａｐフィールド形式を決定する。詳しくは、受信者が受信したフラグメントのフラグメントナンバーが全て０であれば、受信者は伝送者にそれぞれのビットがシーケンス別の受信可否を示すＢｌｏｃｋ  ＡＣＫ  Ｂｉｔｍａｐフィールドを含むＢｌｏｃｋ  ＡＣＫフレームを伝送する。このような実施例において、伝送者がフラグメントを含むＡ−ＭＰＤＵを伝送した場合であっても、それぞれのビットがシーケンス別の受信可否を示すＢｌｏｃｋ  ＡＣＫ  Ｂｉｔｍａｐフィールドを含むＢｌｏｃｋ  ＡＣＫフレームを受信した場合、伝送者は受信したＢｌｏｃｋ  ＡＣＫフレームをフラグメントナンバーが０であるフラグメントに対する受信可否を示すＢｌｏｃｋ  ＡＣＫフレームといて判断する。受信者が受信した複数のフラグメントのうちいずれか一つでもフラグメントナンバーが０でなければ、受信者はそれぞれのビットがフラグメント別の受信可否を示すＢｌｏｃｋ  ＡＣＫ  Ｂｉｔｍａｐフィールドを含むＢｌｏｃｋ  ＡＣＫフレームを伝送する。
【０１０４】
図１５（ａ）の実施例において、受信者はフラグメントナンバーが０であるフラグメントとフラグメンテーションされていないＭＳＤＵを含むＭＰＤＵを受信する。詳しくは、受信者はシーケンスナンバーが３１でフラグメントナンバーが０のフラグメントを受信する。受信者が受信したフラグメントのフラグメントナンバーが全て０であるため、受信者はＢｌｏｃｋ  ＡＣＫ  ＢｉｔｍａｐフィールドのビットそれぞれがＭＳＤＵの受信可否を示すＢｌｏｃｋ  ＡＣＫフレームを伝送する。次に、受信者は複数のフラグメントとフラグメンテーションされていないＭＳＤＵを含むＭＰＤＵを受信する。この際、受信者が受信したフラグメントのうちフラグメンテーションナンバーが０ではなく１のフラグメントが含まれている。よって、受信者はＢｌｏｃｋ  ＡＣＫ  Ｂｉｔｍａｐフィールドのビットそれぞれがフラグメントの受信可否を示すＢｌｏｃｋ  ＡＣＫフレームを伝送する。
【０１０５】
また、図１５（ｂ）の実施例においても、受信者は複数のフラグメントとフラグメンテーションされていないＭＳＤＵを含むＭＰＤＵを受信する。この際、受信者が受信したフラグメントのうちフラグメンテーションナンバーが０ではなく１のフラグメントが含まれている。よって、受信者はＢｌｏｃｋ  ＡＣＫ  Ｂｉｔｍａｐフィールドのビットそれぞれがフラグメントの受信可否を示すＢｌｏｃｋ  ＡＣＫフレームを伝送する。
【０１０６】
図１６は、フラグメンテーションレベル：レベル３を支援する無線通信端末が本発明のまた他の実施例によってＢｌｏｃｋ  ＡＣＫフレームを伝送する方法を示す図である。
【０１０７】
受信者が受信したフラグメントのフラグメントナンバーが全て０であれば、受信者は伝送者が意図したフラグメンテーションレベルに関わらずそれぞれのビットがシーケンス別の受信可否を示すＢｌｏｃｋ  ＡＣＫ  Ｂｉｔｍａｐフィールドを含むＢｌｏｃｋ  ＡＣＫフレームを伝送する。また、受信者は図７乃至図１４を介して説明した実施例を介して、伝送者が意図したフラグメンテーションレベルを判断する。また、受信者の他の動作は図１５を介して説明した実施例に従ってもよい。
【０１０８】
図１６の実施例において、受信者はフラグメントナンバーが０であるフラグメントとフラグメンテーションされていないＭＳＤＵを含むＭＰＤＵのみを受信する。伝送者は、シーケンスナンバーが３１でフラグメントナンバーが１である１つのフラグメントと、シーケンスナンバーが３３でフラグメントナンバーがそれぞれ１と２である２つのフラグメントを伝送するが、受信者は３つのフラグメントを受信することができない。よって、受信者はフラグメントナンバーが０のフラグメントとのみを受信する。それによって、受信者はそれぞれのビットがシーケンス別の受信可否を示すＢｌｏｃｋ  ＡＣＫ  Ｂｉｔｍａｐフィールドを含むＢｌｏｃｋ  ＡＣＫフレームを伝送する。
【０１０９】
図１７は、フラグメンテーションレベル：レベル３を支援する無線通信端末が本発明のまた他の実施例によってＢｌｏｃｋ  ＡＣＫフレームを伝送する方法を示す図である。
受信者がある一つの特定のＴＩＤに当たる全てのＭＳＤＵを受信すれば、該当ＴＩＤに当たるいずれか一つのＭＳＤＵがフラグメンテーションされた場合であっても、受信者はそれぞれのビットがシーケンス別の受信可否を示すＢｌｏｃｋ  ＡＣＫ  Ｂｉｔｍａｐフィールドを含むＢｌｏｃｋ  ＡＣＫフレームを該当ＴＩＤに対して伝送する。この際、受信者はシーケンスナンバー、フラグメントナンバー及びＭｏｒｅ  Ｆｒａｇｍｅｎｔフィールドに基づき、特定のＴＩＤに当たる全てのＭＳＤＵを受信したのかを判断する。また、受信者がいずれか一つのフラグメントでも受信できなかった場合、受信者はＢｌｏｃｋ  ＡＣＫ  Ｂｉｔｍａｐフィールドそれぞれがフラグメントの受信可否を示すＢｌｏｃｋ  ＡＣＫフレームを伝送する。但し、受信者が特定のシーケンスナンバーに当たるＭＳＤＵを全て受信できなければ、受信者はそれぞれのビットがシーケンス別の受信可否を示すＢｌｏｃｋ  ＡＣＫ  Ｂｉｔｍａｐフィールドを含むＢｌｏｃｋ  ＡＣＫフレームを伝送する。このような実施例において、伝送者は伝送者が受信者にデータを伝送する際、データをフラグメンテーションして伝送したのかを容易に判断することができる。よって、受信者がそれぞれのビットがシーケンス別の受信可否を示すＢｌｏｃｋ  ＡＣＫ  Ｂｉｔｍａｐフィールドを含むＢｌｏｃｋ  ＡＣＫフレームを伝送する場合であっても、伝送者は受信者が伝送者が伝送したフラグメントを受信したのかを明確に判断することができる。
【０１１０】
図１７の実施例において、伝送者はＴＩＤ値が１に当たるＭＳＤＵのうち一部のＭＳＤＵをフラグメンテーションして受信者に伝送する。受信者は、ＴＩＤ値１に対するＭＳＤＵを全て（シーケンスナンバー３１から６３まで）受信する。詳しくは、受信者はシーケンスナンバーが３１、３３、６３などに当たるＭＳＤＵをフラグメントに受信する。受信者は、ＴＩＤ値１のためのＢｌｏｃｋ  ＡＣＫフレームを伝送する。この際、受信者がＴＩＤ値１に対するＭＳＤＵを全て受信したため、受信者はＴＩＤ値１に対するＢｌｏｃｋ  ＡＣＫフレームのＢｌｏｃｋ  ＡＣＫ  ＢｉｔｍａｐフィールドのビットそれぞれがＭＳＤＵの受信可否を示すと設定する。
【０１１１】
図１８乃至図２０は、フラグメンテーションレベル：レベル３を支援する無線通信端末が本発明のまた他の実施例によってＡｌｌ  ＡＣＫを示すＢｌｏｃｋ  ＡＣＫフレームを伝送する方法を示す図である。
【０１１２】
特定のＴＩＤに当たる少なくともいずれか一つのＭＳＤＵがフラグメンテーションされた場合であっても、受信者がＡ−ＭＰＤＵ内の全てのＭＰＤＵを受信した場合、受信者はＡｌｌ  ＡＣＫを示すＢｌｏｃｋ  ＡＣＫフレームを伝送する。Ａ−ＭＰＤＵ内の全てのＭＰＤＵは、特定のＴＩＤだけでなく他のＴＩＤに当たる場合を含む。この際、受信者が特定のＴＩＤに当たる全てのＭＳＤＵを受信し、該当Ａ−ＭＰＤＵ内に他のＴＩＤに当たるＭＰＤＵを全て受信すれば、受信者はＡ−ＭＰＤＵ内の全てのＭＰＤＵを受信したと判断する。この際、受信者が最後に受信した特定のＴＩＤに当たるフラグメントのＭｏｒｅ  Ｆｒａｇｍｅｎｅｔフィールドの値が１であっても、受信者が最後のフラグメントに続いて伝送された他のＭＰＤＵを全て受信する場合、受信者は該当Ａ−ＭＰＤＵに含まれた該当ＴＩＤに当たるＭＰＤＵを全て受信したと判断する。この際、受信者はビットそれぞれがＭＳＤＵの受信可否を示すＢｌｏｃｋ  ＡＣＫ  Ｂｉｔｍａｐフィールドを含むＢｌｏｃｋ  ＡＣＫフレームを伝送する。また、上述したように、受信者が特定のＴＩＤと他のＴＩＤに当たるＭＰＤＵも全て受信した場合、受信者はＡｌｌ  ＡＣＫを示すＢｌｏｃｋ  ＡＣＫフレームを伝送する。
【０１１３】
また、Ａｌｌ  ＡＣＫを示すＢｌｏｃｋ  ＡＣＫフレームはＢｌｏｃｋ  ＡＣＫ  Ｂｉｔｍａｐフィールドを含まず、Ｂｌｏｃｋ  ＡＣＫフレームが指示する全てのＴＩＤに対するＭＰＤＵを受信したことを示すＢｌｏｃｋ  ＡＣＫフレームである。詳しくは、受信者はＰｅｒ  ＡＩＤ  ＴＩＤ  Ｉｎｆｏフィールドに伝送者のＡＩＤを挿入し、ＡＣＫ  ｔｙｐｅをＡｌｌ  ＡＣＫを示す値に設定して、該当ＴＩＤを挿入する。
【０１１４】
図１８の実施例において、伝送者は図１７の実施例のように、ＴＩＤ値が１に当たるＭＳＤＵのうち一部のＭＳＤＵをフラグメンテーションして受信者に伝送する。受信者ＳＴＡ１は、ＴＩＤ値１に対するＭＳＤＵを全て（シーケンスナンバー３１から６３まで）受信する。この際、受信者ＳＴＡ１は、ＴＩＤ値１に対するＭＳＤＵを伝送するＡ−ＭＳＤＵ内の全てのＭＰＤＵを受信する。よって、受信者ＳＴＡ１は、ＴＩＤ値１と受信者ＳＴＡ１を示すＡＩＤを挿入し、ＡＣＫ  ＴｙｐｅをＡｌｌ  ＡＣＫに設定して、Ｂｌｏｃｋ  ＡＣＫフレームを伝送する。
【０１１５】
図１９の実施例において、受信者ＳＴＡ１は、ＴＩＤ値１に当たるＭＳＤＵ（シーケンスナンバー３１から６３まで）を受信する。この際、受信者ＳＴＡ１がＴＩＤ値１に当たるフラグメントのうち最後に受信したフラグメント（シーケンスナンバー６３、フラグメントナンバー１）のＭｏｒｅ  Ｆｒａｇｍｅｎｔフィールドの値は１である。この際、受信者ＳＴＡ１はＡ−ＭＰＤＵ内で該当フラグメント（シーケンスナンバー６３、フラグメントナンバー１）の後に伝送されるＭＰＤＵを全て受信したことに基づいて、Ａ−ＭＰＤＵ内で伝送されるＴＩＤ１に当たる全てのフラグメントを受信したと判断する。よって、受信者ＳＴＡ１は、ＴＩＤ値１と受信者ＳＴＡ１を示すＡＩＤを挿入し、ＡＣＫ  ＴｙｐｅをＡｌｌ  ＡＣＫに設定して、Ｂｌｏｃｋ  ＡＣＫフレームを伝送する。
【０１１６】
図２０の実施例において、受信者ＳＴＡ１は、ＴＩＤ値１に当たるＭＳＤＵ（シーケンスナンバー３１から６３まで）を受信する。但し、受信者ＳＴＡ１は、シーケンスナンバー６４、フラグメントナンバー０に当たるフラグメントを受信することができない。この際、受信者ＳＴＡ１は特定のＭＰＤＵを受信できなかったことを認識するだけで、どのフラグメントを受信できなかったのかを判断することはできない。よって、受信者ＳＴＡ１はＢｌｏｃｋ  ＡＣＫ  ＢｉｔｍａｐフィールドのビットそれぞれがＭＳＤＵの受信可否を示すと設定し、ＴＩＤ値１に対するＢｌｏｃｋ  ＡＣＫフレームを伝送する。
【０１１７】
図２１は、フラグメンテーションレベル：レベル３を支援する無線通信端末が本発明のまた他の実施例によってフラグメントの受信可否を示すＢｌｏｃｋ  ＡＣＫ  Ｂｉｔｍａｐフィールドを含むＢｌｏｃｋ  ＡＣＫフレームを伝送する動作を示す図である。
【０１１８】
図１８乃至図２０を介して上述したように、実施例の条件を満足できなければ、受信者はそれぞれのビットがフラグメントの受信可否を示すＢｌｏｃｋ  ＡＣＫ  Ｂｉｔｍａｐフィールドを含むＢｌｏｃｋ  ＡＣＫフレームを特定のＴＩＤに対して伝送する。
【０１１９】
図２１（ａ）の実施例において、受信者は特定のＴＩＤに当たり、シーケンスナンバーが６４で、フラグメントナンバーが０のフラグメントを受信することができない。受信者は特定のＴＩＤに当たり、シーケンスナンバーが６４で、フラグメントナンバーが１のフラグメントを受信し、シーケンスナンバーが６４で、フラグメントナンバーが０のフラグメントを受信できなかったことを認識する。よって、受信者はそれぞれのビットがフラグメントの受信可否を示すＢｌｏｃｋ  ＡＣＫ  Ｂｉｔｍａｐフィールドを含むＢｌｏｃｋ  ＡＣＫフレームを特定のＴＩＤに対して伝送する。
【０１２０】
図２１（ｂ）の実施例において、受信者は特定のＴＩＤに当たり、シーケンスナンバーが３３で、フラグメントナンバーが２のフラグメントを受信することができない。受信者は特定のＴＩＤに当たり、シーケンスナンバーが３３より大きいフラグメントを受信して、シーケンスナンバーが３３で、フラグメントナンバーが２のフラグメントを受信できなかったことを認識する。よって、受信者はそれぞれのビットがフラグメントの受信可否を示すＢｌｏｃｋ  ＡＣＫ  Ｂｉｔｍａｐフィールドを含むＢｌｏｃｋ  ＡＣＫフレームを特定のＴＩＤに対して伝送する。
【０１２１】
図２１（ｃ）の実施例において、受信者は特定のＴＩＤに当たり、シーケンスナンバーが６３で、フラグメントナンバーが１のフラグメントを受信し、後に伝送されるＭＰＤＵを受信することができない。この際、最後に伝送されたフラグメントのＭｏｒｅ  Ｆｒａｇｍｅｎｔフィールドの値が１であるため、受信者は特定のＴＩＤに当たり、Ａ−ＭＰＤＵ内で伝送される全てのフラグメントを受信したのかを判断することができない。よって、受信者はそれぞれのビットがフラグメントの受信可否を示すＢｌｏｃｋ  ＡＣＫ  Ｂｉｔｍａｐフィールドを含むＢｌｏｃｋ  ＡＣＫフレームを特定のＴＩＤに対して伝送する。
【０１２２】
図２２は、本発明の実施例による無線通信端末の動作を示す図である。
【０１２３】
上述したように、伝送者２２０１は、ＡＤＤＢＡ設定手順において、受信者２２０３にフラグメンテーションレベルに関する第１情報を伝送する。詳しくは、伝送者２２０１は受信者２２０３にフラグメンテーションレベルに関する第１情報を含むＡＤＤＢＡ要請フレームを伝送するＳ２２０１。詳しくは、伝送者２２０１は受信者２２０３に伝送するデータに使用しようとするフラグメンテーションレベルに関する第１情報をＡＤＤＢＡ要請フレームに挿入する。伝送者２２０１は、受信者２２０３に該当ＡＤＤＢＡ要請フレームを伝送する。第１情報はＴＩＤ別に指定されてもよい。詳しくは、第１情報は、伝送者２２０１が特定のＴＩＤに当たるデータを前記受信者２２０３に伝送しようとする際に使用するフラグメンテーションレベルに関する。具体的な実施例において、特定のＴＩＤはＡＤＤＢＡ要請フレームのＢｌｏｃｋ  ＡＣＫ  Ｐａｒａｍｅｔｅｒ  Ｓｅｔで特定されたＴＩＤであってもよい。
【０１２４】
また、第１情報は、伝送者２２０１が受信者２２０３にデータを伝送しようとする際に使用しようとするフラグメンテーションレベルの最大値を示す。詳しくは、伝送者２２０１は第１情報がシグナリングするフラグメンテーションレベルをレベル０と設定し、伝送者２２０１が該当ＴＩＤに関するデータを伝送する際、フラグメンテーションをしようとしないことをシグナリングする。また、伝送者２２０１は第１情報がシグナリングするフラグメンテーションレベルをレベル１と設定し、伝送者が該当ＴＩＤに関するデータを伝送する際、レベル１以下に当たるフラグメントを伝送しようとすることをシグナリングする。詳しくは、伝送者２２０１は第１情報がシグナリングするフラグメンテーションレベルをレベル１と設定し、伝送者２２０１が該当ＴＩＤに関するデータを伝送する際、一つのフラグメントを含む一つのＭＰＤＵを伝送することを示す。この際、ＭＰＤＵは上述したように他のＭＰＤＵと結合されないシングルＭＰＤＵであるか、またはＡ−ＭＰＤＵではないＭＰＤＵである。また、伝送者２２０１は第１情報がシグナリングするフラグメンテーションレベルをレベル２と設定し、伝送者２２０１が該当ＴＩＤに関するデータを伝送する際、レベル２以下に当たるフラグメントを伝送しようとすることをシグナリングする。詳しくは、伝送者２２０１は第１情報がシグナリングするフラグメンテーションレベルをレベル２と設定し、伝送者がＡ−ＭＰＤＵを介して該当ＴＩＤに関するデータを伝送する際、ＭＰＤＵごとに一つ以下のフラグメントを伝送しようとすることをシグナリングする。また、伝送者２２０１は第１情報がシグナリングするフラグメンテーションレベルをレベル３と設定し、伝送者が該当ＴＩＤに関するデータを伝送する際、レベル３以下に当たるフラグメントを伝送しようとすることをシグナリングする。詳しくは、伝送者２２０１は第１情報がシグナリングするフラグメンテーションレベルをレベル３と設定し、伝送者がＡ−ＭＰＤＵを介して該当ＴＩＤに関するデータを伝送する際、ＭＰＤＵごとに４つ以下のフラグメントを伝送しようとすることをシグナリングする。
【０１２５】
伝送者２２０１が受信者２２０３に第１情報を含むＡＤＤＢＡ要請フレームを伝送する場合、伝送者２２０１は第１情報をＡＤＤＢＡ要請フレームが含むＡＤＤＢＡ  Ｃａｐａｂｉｌｉｔｉｅｓフィールドに挿入する。詳しくは、ＡＤＤＢＡ  Ｃａｐａｂｉｌｉｔｉｅｓフィールドは、図７を介して説明した実施例のように、フラグメンテーションレベルを示すＭｕｌｔｉｐｌｅ  Ｆｒａｇｍｅｎｔａｔｉｏｎフィールドを含む。Ｍｕｌｔｉｐｌｅ  Ｆｒａｇｍｅｎｔａｔｉｏｎフィールドは、フラグメンテーションレベルがレベル２より低いレベルなのか、レベル２以上のレベルであるのかを示す１ビットのフィールドである。他の具体的な実施例において、Ｍｕｌｔｉｐｌｅ  Ｆｒａｇｍｅｎｔａｔｉｏｎフィールドはフラグメンテーションレベルがレベル０からレベル３までのうちどのレベルであるのかを示す２ビットのフィールドであってもよい。
【０１２６】
伝送者２２０１は、図９乃至図１０を介して説明した実施例のように、ＡＤＤＢＡ要請フレームのＡＤＤＢＡ  ＣａｐａｂｉｌｉｔｉｅｓフィールドではなくＢｕｆｆｅｒ  Ｓｉｚｅフィールドに第１情報を挿入する。詳しくは、伝送者２２０１はＡＤＤＢＡ要請フレームのＢｕｆｆｅｒ  Ｓｉｚｅフィールドの一部のビットが第１情報をシグナリングするように設定する。具体的な実施例において、ＡＤＤＢＡ要請フレームのＢｕｆｆｅｒ  ＳｉｚｅフィールドのＬＳＢ１ビットまたはＭＳＢ１ビットが第１情報をシグナリングするように設定する。この際、第１情報は、フラグメンテーションレベルがレベル２より低いレベルなのか、レベル２以上のレベルであるのかを示す。他の具体的な実施例において、伝送者２２０１は、ＡＤＤＢＡ要請フレームのＢｕｆｆｅｒ  ＳｉｚｅフィールドのＬＳＢ２ビットまたはＭＳＢ２ビットがフラグメンテーションレベルに関する情報をシグナリングするように設定する。この際、フラグメンテーションレベルに関する情報は、フラグメンテーションレベルがレベル０からレベル３までのうちどのレベルであるのかを示す。
【０１２７】
また他の具体的な実施例において、伝送者２２０１は、ＡＤＤＢＡ要請フレームのＢｕｆｆｅｒ  Ｓｉｚｅフィールが示す値の大きさを介してフラグメンテーションレベルに関する情報を目次的にシグナリングする。例えば、Ｂｕｆｆｅｒ  Ｓｉｚｅフィールドの値が０であれば、Ｂｕｆｆｅｒ  Ｓｉｚｅフィールドはフラグメンテーションレベルがレベル０であることを示す。また、Ｂｕｆｆｅｒ  Ｓｉｚｅフィールドの値が１であれば、Ｂｕｆｆｅｒ  Ｓｉｚｅフィールドはフラグメンテーションレベルがレベル１であることを示す。また、Ｂｕｆｆｅｒ  Ｓｉｚｅフィールドの値が２と同じであるか大きく６３と同じであるか小さければ、Ｂｕｆｆｅｒ  Ｓｉｚｅフィールドはフラグメンテーションレベルがレベル２であることを示す。また、Ｂｕｆｆｅｒ  Ｓｉｚｅフィールドの値が６４と同じであるか大きく１０２３と同じであるか小さければ、Ｂｕｆｆｅｒ  Ｓｉｚｅフィールドはフラグメンテーションレベルがレベル３であることを示す。
【０１２８】
受信者２２０３は、データを伝送しようとする伝送者２０２１から第１情報を受信する。詳しくは、受信者２２０３は、データを伝送しようとする伝送者２０２１からＡＤＤＢＡ要請フレームを受信する。受信者２２０３は、ＡＤＤＢＡ要請フレームから伝送者２２０１が受信者２２０３に伝送するデータに使用しようとするフラグメンテーションレベルに関する第１情報を獲得する。
【０１２９】
受信者２２０３は、伝送者２２０１にフラグメンテーションレベルに関する第２情報を伝送する。第２情報はＴＩＤ別に指定されてもよい。第２情報は、受信者２２０３が特定のＴＩＤに当たるデータを受信する際、受信者２２０３が受信し得るフラグメントのフラグメンテーションレベルに関する情報である。特定のＴＩＤはＡＤＤＢＡ応答フレームのＢｌｏｃｋ  ＡＣＫ  Ｐａｒａｍｅｔｅｒ  Ｓｅｔで特定されたＴＩＤであってもよい。詳しくは、受信者２２０１は伝送者２２０３にフラグメンテーションレベルに関する第２情報を含むＡＤＤＢＡ応答フレームＳ２２０３を伝送するＳ２２０３。詳しくは、受信者２２０３はＡＤＤＢＡ応答フレームに第２情報を挿入する。受信者２２０３は、伝送者２２０１に該当ＡＤＤＢＡ応答フレームを伝送する。
【０１３０】
また、第２情報は受信者２２０３が受信し得るフラグメンテーションレベルの最大値を示す。詳しくは、第２情報は、上述したようにレベル０からレベル３までを示す。具体的な実施例において、受信者２２０３はＡＤＤＢＡ応答フレームがシグナリングするフラグメンテーションレベルをレベル０と設定し、受信者２２０３が該当ＴＩＤに関するデータを受信する際、フラグメントを受信できないことをシグナリングする。また、受信者２２０３は第２情報がシグナリングするフラグメンテーションレベルをレベル１と設定し、受信者が該当ＴＩＤに関するデータを伝送する際、レベル１以下に当たるフラグメントのみを伝送し得ることをシグナリングする。詳しくは、受信者２２０３は第２情報がシグナリングするフラグメンテーションレベルをレベル１と設定し、受信者２２０３が該当ＴＩＤに関するデータを受信する際、一つのフラグメントを含む一つのＭＰＤＵを受信することを示す。また、受信者２２０３は第２情報がシグナリングするフラグメンテーションレベルをレベル２と設定し、受信者２２０３が該当ＴＩＤに関するデータを伝送する際、レベル１またはレベル２に当たるフラグメントを受信し得ることをシグナリングする。詳しくは、受信者２２０３は第２情報がシグナリングするフラグメンテーションレベルをレベル２と設定し、受信者２２０３が一つのフラグメントを含む一つのＭＰＤＵを受信するか、ＭＳＤＵごとに一つ以下のフラグメントを含むＡ−ＭＰＤＵ受信し得ることをシグナリングする。また、受信者２２０３は第２情報がシグナリングするフラグメンテーションレベルをレベル３と設定し、受信者が該当ＴＩＤに関するデータを伝送する際、レベル１、レベル２、またはレベル３に当たるフラグメントを受信し得ることをシグナリングする。詳しくは、受信者２２０３は第２情報がシグナリングするフラグメンテーションレベルをレベル３と設定し、受信者２２０３が一つのフラグメントを含む一つのＭＰＤＵまたはＭＳＤＵごとに４つ以下のフラグメントを含むＡ−ＭＰＤＵ受信し得ることをシグナリングする。
【０１３１】
受信者２２０３は、第１情報をＡＤＤＢＡ応答フレームが含むＡＤＤＢＡ  Ｃａｐａｂｉｌｉｔｅｉｓフィールドに挿入する。詳しくは、ＡＤＤＢＡ  Ｃａｐａｂｉｌｉｔｉｅｓフィールドは、図７を介して説明した実施例のように、フラグメンテーションレベルを示すＭｕｌｔｉｐｌｅ  Ｆｒａｇｍｅｎｔａｔｉｏｎフィールドを含む。Ｍｕｌｔｉｐｌｅ  Ｆｒａｇｍｅｎｔａｔｉｏｎフィールドは、フラグメンテーションレベルがレベル２より低いレベルなのか、レベル２以上のレベルであるのかを示す１ビットのフィールドである。他の具体的な実施例において、Ｍｕｌｔｉｐｌｅ  Ｆｒａｇｍｅｎｔａｔｉｏｎフィールドはフラグメンテーションレベルがレベル０からレベル３までのうちどのレベルであるのかを示す２ビットのフィールドであってもよい。
【０１３２】
受信者２２０３は、図９乃至図１０を介して説明した実施例のように、ＡＤＤＢＡ応答フレームのＡＤＤＢＡ  ＣａｐａｂｉｌｉｔｉｅｓフィールドではなくＢｕｆｆｅｒ  Ｓｉｚｅフィールドに第１情報を挿入する。詳しくは、受信者２２０３はＡＤＤＢＡ応答フレームのＢｕｆｆｅｒ  Ｓｉｚｅフィールドの一部のビットが第１情報をシグナリングするように設定する。具体的な実施例において、ＡＤＤＢＡ応答フレームのＢｕｆｆｅｒ  ＳｉｚｅフィールドのＬＳＢ１ビットまたはＭＳＢ１ビットが第１情報をシグナリングするように設定する。この際、第１情報は、フラグメンテーションレベルがレベル２より低いレベルなのか、レベル２以上のレベルであるのかを示す。他の具体的な実施例において、受信者２２０３は、ＡＤＤＢＡ応答フレームのＢｕｆｆｅｒ  ＳｉｚｅフィールドのＬＳＢ２ビットまたはＭＳＢ２ビットがフラグメンテーションレベルに関する情報をシグナリングするように設定する。この際、フラグメンテーションレベルに関する情報は、フラグメンテーションレベルがレベル０からレベル３までのうちどのレベルであるのかを示す。
【０１３３】
また他の具体的な実施例において、受信者２２０３は、ＡＤＤＢＡ応答フレームのＢｕｆｆｅｒ  Ｓｉｚｅフィールが示す値の大きさを介してフラグメンテーションレベルに関する情報を目次的にシグナリングする。例えば、Ｂｕｆｆｅｒ  Ｓｉｚｅフィールドの値が０であれば、Ｂｕｆｆｅｒ  Ｓｉｚｅフィールドはフラグメンテーションレベルがレベル０であることを示す。また、Ｂｕｆｆｅｒ  Ｓｉｚｅフィールドの値が1であれば、Ｂｕｆｆｅｒ  Ｓｉｚｅフィールドはフラグメンテーションレベルがレベル１であることを示す。また、Ｂｕｆｆｅｒ  Ｓｉｚｅフィールドの値が２と同じであるか大きく６３と同じであるか小さければ、Ｂｕｆｆｅｒ  Ｓｉｚｅフィールドはフラグメンテーションレベルがレベル２であることを示す。また、Ｂｕｆｆｅｒ  Ｓｉｚｅフィールドの値が６４と同じであるか大きく１０２３と同じであるか小さければ、Ｂｕｆｆｅｒ  Ｓｉｚｅフィールドはフラグメンテーションレベルがレベル３であることを示す。
【０１３４】
伝送者２２０１は、受信者２２０３から第２情報を獲得する。詳しくは、伝送者２２０１は、受信者２２０３からＡＤＤＢＡ応答フレームを受信する。伝送者２２０１は、ＡＤＤＢＡ応答フレームから第２情報を獲得する。この際、伝送者２２０１は、第２情報に基づいて特定のＴＩＤに当たるデータのフラグメンテーションレベルを決定する。詳しくは、伝送者２２０１は、第２情報に基づいて受信者２２０３に伝送するデータのうち特定のＴＩＤに当たるデータのフラグメンテーションレベルを決定する。詳しくは、伝送者２２０１は、第２情報が示すフラグメンテーションレベルと同じであるか低いフラグメンテーションレベルを特定のＴＩＤに当たるデータのフラグメンテーションレベルを決定する。
【０１３５】
伝送者２２０１は、特定のＴＩＤに当たるデータを決定されたフラグメンテーションレベルにフラグメンテーションしてフラグメントを生成し、生成されたフラグメントを受信者２２０３に伝送する。詳しくは、伝送者２２０１は、第２情報が示すフラグメンテーションレベルと同じであるか低いフラグメンテーションレベルで特定のＴＩＤに当たるデータをフラグメンテーションし、フラグメントを生成する。
【０１３６】
受信者２２０３は、伝送者２２０１からフラグメントを含むデータを受信する。受信者２２０３は、伝送者２２０１から受信したＡＤＤＢＢＡ要請フレームに基づいてＢｌｏｃｋ  ＡＣＫフレームの形式を選択する。詳しくは、受信者２２０３は第２情報に基づいてＢｌｏｃｋ  ＡＣＫフレームの形式を選択する。受信者２２０３は、図１４乃至図２１を介して説明した実施例のように、ＴＩＤ別にＢｌｏｃｋ  ＡＣＫフレームが含むビットマップの形式を選択する。受信者２２０３が受信したデータがＡ−ＭＰＤＵを介して伝送され、Ａ−ＭＰＤＵが少なくとも一つのフラグメントを含み、フラグメントのフラグメントナンバーが全て０であれば、受信者２２０３はそれぞれのビットがそれぞれのＭＳＤＵの受信可否を示すビットマップを含むＢｌｏｃｋ  ＡＣＫフレームを伝送する。受信者２２０３の具体的な動作は、図１５乃至図１６を介して説明した実施例のようである。
【０１３７】
受信者２２０３が受信したデータがＡ−ＭＰＤＵを介して伝送され、受信者２２０３がＡ−ＭＰＤＵが含む全てのＭＰＤＵを受信すれば、受信者２２０３はそれぞれのビットがそれぞれのＭＳＤＵの受信可否を示すビットマップを含むＢｌｏｃｋ  ＡＣＫフレームを伝送する。受信者２２０３の具体的な動作は、図１７乃至図２１を介して説明した実施例のようである。
【０１３８】
上記のように、無線LAN通信を例に挙げて、本発明を説明したが、本発明はこれに限定せず、携帯電話通信などの他の通信システムでも同様に適用することができる。また、本発明の方法、デバイス、およびシステムは、特定の実施例に関連して説明されたが、本発明の構成要素、動作の一部または全部は、汎用ハードウェアアーキテクチャを有するコンピュータシステムを使用して実装することができる。
【０１３９】
これまで実施例に説明された特徴、構造、効果などは、本発明の少なくとも一つの実施例に含まれるが、必ずしも一つの実施例にのみ限定されない。なお、各実施例に例示されている特徴、構造、効果などは、実施例の属する分野の通常の知識を有する者によって他の実施例についても組み合わせられるかまたは変形されて実施されてもよい。よって、このような組み合わせと変形に関する内容は、本発明の範囲に含まれると解釈すべきである。
【０１４０】
これまで実施例を中心に説明したが、これは単なる例示であって本発明を限定するものではなく、本発明の属する分野の通常の知識を有する者であれば、本実施例の本質的な特性を逸脱しない範囲内で前記に例示されていない様々な変形と応用が可能であることを理解できるはずである。例えば、実施例に具体的に示した各構成要素は変形して実施されてもよいものである。そして、このような変形と応用に関する差は、添付した特許請求の範囲で規定する本発明の範囲に含まれると解釈すべきである。
【符号の説明】
【０１４１】
１００  ステーション
１１０  プロセッサ
１２０  送受信部
１４０  ユーザインタフェース
１５０  ディスプレーユニット
１６０  メモリ
２００  ＡＰ
２１０  プロセッサ
２２０  送受信部
２６０  メモリ
【図１】
2020195163.tif 000003
【図２】
2020195163.tif 000004
【図３】
2020195163.tif 000005
【図４】
2020195163.tif 000006
【図５】
2020195163.tif 000007
【図６】
2020195163.tif 000008
【図７】
2020195163.tif 000009
【図８】
2020195163.tif 000010
【図９】
2020195163.tif 000011
【図１０】
2020195163.tif 000012
【図１１】
2020195163.tif 000013
【図１２】
2020195163.tif 000014
【図１３】
2020195163.tif 000015
【図１４】
2020195163.tif 000016
【図１５】
2020195163.tif 000017
【図１６】
2020195163.tif 000018
【図１７】
2020195163.tif 000019
【図１８】
2020195163.tif 000020
【図１９】
2020195163.tif 000021
【図２０】
2020195163.tif 000022
【図２１】
2020195163.tif 000023
【図２２】
2020195163.tif 000024
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
データを伝送する伝送者である無線通信端末において、
送受信部と、
プロセッサと、を含み、
前記プロセッサは、
第１情報をＡＤＤＢＡ（Ａｄｄ  Ｂｌｏｃｋ  ＡＣＫ）要請フレームに挿入し、かつ
前記ＡＤＤＢＡ要請フレームを前記送受信部を使用して受信者に伝送し、
前記第１情報は、前記無線通信端末がデータを前記受信者に伝送する際に使用しようとするフラグメンテーションレベルに関する
無線通信端末。
【請求項２】
前記プロセッサは、
前記送受信部を使用して前記受信者から第２情報を受信し、
前記第２情報に基づいて前記データをフラグメンテーションし、かつ
前記フラグメンテーションされたデータを伝送し、
前記第２情報は、前記受信者が前記データを受信する際、前記受信者が受信し得るフラグメントのフラグメンテーションレベルに関する情報である
請求項１に記載の無線通信端末。
【請求項３】
前記プロセッサは、前記第２情報が示すフラグメンテーションレベルと同じか低いフラグメンテーションレベルに前記データをフラグメンテーションする
請求項２に記載の無線通信端末。
【請求項４】
データを受信する受信者である無線通信端末において、
送受信部と、
プロセッサと、を含み、
前記プロセッサは、
データを伝送しようとする伝送者から第１情報を含むＡＤＤＢＡ（Ａｄｄ  Ｂｌｏｃｋ  ＡＣＫ）要請フレームを前記送受信部を使用して受信し、かつ
前記ＡＤＤＢＡ要請フレームから前記第１情報を獲得し、
前記第１情報は、前記伝送者が前記無線通信端末にデータを伝送する際に前記伝送者が使用しようとするフラグメンテーションレベルに関する情報である
無線通信端末。
【請求項５】
前記プロセッサは、前記送受信部を使用して前記伝送者に第２情報を伝送し、
前記第２情報は、前記無線通信端末が前記データを受信する際、前記無線通信端末が受信し得るフラグメントのフラグメンテーションレベルに関する情報である
請求項４に記載の無線通信端末。
【請求項６】
前記プロセッサは、
ＡＤＤＢＡ応答フレームに第２情報を挿入し、
前記伝送者に前記ＡＤＤＢＡ応答フレームを伝送する
請求項５に記載の無線通信端末。
【請求項７】
前記プロセッサは、
前記送受信部を使用して前記伝送者からデータを受信し、
前記第１情報に基づいてＢｌｏｃｋ  ＡＣＫフレームの形式を選択し、
前記Ｂｌｏｃｋ  ＡＣＫフレームの形式に応じて、前記伝送者から受信したデータに対するＢｌｏｃｋ  ＡＣＫフレームを伝送する
請求項４に記載の無線通信端末。
【請求項８】
前記伝送者により伝送されるデータはＡ−ＭＰＤＵ（Ａｇｇｒｅｇａｔｅ−ＭＡＣ  Ｐｒｏｔｏｃｏｌ  Ｄａｔａ  Ｕｎｉｔ）を介して伝送され、前記Ａ−ＭＰＤＵは少なくとも一つのフラグメントを含み、
前記プロセッサは、前記少なくとも一つのフラグメントのフラグメントナンバーが全て０であれば、それぞれのビットがそれぞれのＭＳＤＵ（ＭＡＣ  Ｓｅｒｖｉｃｅ  Ｄａｔａ  Ｕｎｉｔ）の受信可否を示すビットマップを含むＢｌｏｃｋ  ＡＣＫフレームを伝送する
請求項７に記載の無線通信端末。
【請求項９】
前記伝送者により伝送されるデータはＡ−ＭＰＤＵ（Ａｇｇｒｅｇａｔｅ−ＭＡＣ  Ｐｒｏｔｏｃｏｌ  Ｄａｔａ  Ｕｎｉｔ）を介して伝送され、
前記プロセッサは、前記Ａ−ＭＰＤＵに含まれる全てのＭＰＤＵを受信すれば、それぞれのビットがそれぞれのＭＳＤＵ（ＭＡＣ  Ｓｅｒｖｉｃｅ  Ｄａｔａ  Ｕｎｉｔ）の受信可否を示すビットマップを含むＢｌｏｃｋ  ＡＣＫフレームを伝送する
請求項７に記載の無線通信端末。
【請求項１０】
データを伝送する伝送者である無線通信端末の動作方法において、
第１情報をＡＤＤＢＡ（Ａｄｄ  Ｂｌｏｃｋ  ＡＣＫ）要請フレームに挿入するステップと、
受信者に前記ＡＤＤＢＡ要請フレームを伝送するステップと、を含み、
前記第１情報は、前記無線通信端末がデータを伝送する際に使用しようとするフラグメンテーションレベルに関する
動作方法。
【請求項１１】
前記動作方法は、
前記受信者からＡＤＤＢＡ応答フレームを受信するステップと、
前記ＡＤＤＢＡ応答フレームから第２情報を獲得するステップと、
前記第２情報に基づいて前記データをフラグメンテーションするステップと、
前記フラグメンテーションされたデータを前記受信者に伝送するステップと、を更に含み、
前記第２情報は、前記受信者が前記データを受信する際、前記受信者が受信し得るフラグメントのフラグメンテーションレベルに関する情報である
請求項１０に記載の動作方法。
【請求項１２】
前記第２情報に基づいて前記データをフラグメンテーションするステップは、
前記データを前記第２情報が示すフラグメンテーションレベルと同じであるか低いフラグメンテーションレベルにフラグメンテーションするステップを含む
請求項１１に記載の動作方法。